(57)【要約】  開構成と閉構成との間で動作可能であり、閉じた位置にあるときに電気回路を完成し、それによりモバイルコミュニケーターを起動し、モバイルコミュニケーターに機能を提供するように配置されるコンタクトを備えるモバイルコミュニケーターが提供される。本モバイルコミュニケーターは、ディスプレイと、ユーザーに知らせるための通知機構と、ユーザーが複数の宛先入力を入力することを可能にするために構成されるユーザーインターフェースであって、複数の宛先入力は数字及び文字のアルファニューメリックの組み合わせに関連付けられる、ユーザーインターフェースと、ユーザーインターフェースと動作可能に通信し、モバイルコミュニケーターから、宛先入力に対応する宛先への送信を送るように構成される送信機と、送信側デバイスからの送信を受信することができる受信機と、イネーブリングシステムとを備える。さらに、モバイルコミュニケーターは初期デフォルト使用不能状態を含み、その状態では、複数の機能のうちの少なくとも１つが使用不能にされる。【選択図】図１
2013514043.tif 000002
【特許請求の範囲】
【請求項１】
モバイルコミュニケーターであって、
コンタクトであって、開構成と閉構成との間で動作可能であり、該コンタクトが閉じた位置にあるときに電気回路を完成し、それにより該モバイルコミュニケーターを起動し、該モバイルコミュニケーターに機能を提供するように配置されるコンタクトと、
ディスプレイと、
ユーザーに知らせるための通知機構と、
ユーザーが複数のアイデンティティ入力を入力することを可能にするように構成されるユーザーインターフェースであって、該複数のアイデンティティ入力は数字及び文字のアルファニューメリックの組み合わせに関連付けられる、ユーザーインターフェースと、
前記ユーザーインターフェースと動作可能に通信し、該モバイルコミュニケーターから、前記宛先入力に対応する宛先への送信を送るように構成される送信機と、
送信側デバイスからの送信を受信することができる受信機と、
イネーブリングシステムとを備え、
該モバイルコミュニケーターは初期デフォルト使用不能状態を含み、前記ディスプレイ、前記通知機構、前記ユーザーインターフェース、前記送信機、前記受信機、テキストメッセージングインターフェース、画像メッセージングインターフェース、ビデオメッセージングインターフェース、インターネットブラウザー、画像取得器、音声取得器、ビデオ取得器、ＧＰＳグラフィカルマップビューワー、ゲームプレーヤー、ビデオプレーヤー、デジタル音楽プレーヤー、アラーム時計、デジタルメモパッド、デジタルカレンダー、双方向無線機、電子ブックリーダー、電子接触ローロデックス及び計算機のうちの少なくとも１つが使用不能にされ、
前記コンタクトが前記閉じた位置にあり、前記起動する電気回路が完成するときでも、該モバイルコミュニケーターは前記初期デフォルト使用不能状態のままであり、
該モバイルコミュニケーターのハンズフリーモードが起動されるときに、前記イネーブリングシステムのロジックが該モバイルコミュニケーターの前記初期デフォルト使用不能状態を使用可能状態に変更するように構成され、前記ディスプレイ、前記通知機構、前記ユーザーインターフェース、前記送信機、前記受信機、前記テキストメッセージングインターフェース、前記画像メッセージングインターフェース、前記ビデオメッセージングインターフェース、前記インターネットブラウザー、前記画像取得器、前記音声取得器、前記ビデオ取得器、前記ＧＰＳグラフィカルマップビューワー、前記ゲームプレーヤー、前記ビデオプレーヤー、前記デジタル音楽プレーヤー、前記アラーム時計、前記デジタルメモパッド、前記デジタルカレンダー、前記双方向無線機、前記電子ブックリーダー、前記電子接触ローロデックス及び前記計算機のうちの前記少なくとも１つが使用可能になる、モバイルコミュニケーター。
【請求項２】
前記ハンズフリーモードは、前記モバイルコミュニケーターに取り付けられたホルスターデバイスによって起動される、請求項１に記載のモバイルコミュニケーター。
【請求項３】
前記ハンズフリーモードは、前記モバイルコミュニケーターに接続されたパーソナルエリアネットワークデバイスによって起動される、請求項１に記載のモバイルコミュニケーター。
【請求項４】
前記イネーブリングシステムのロジックは、前記モバイルコミュニケーターが信号発生デバイスによる信号を受信するときに、前記モバイルコミュニケーターの前記初期デフォルト使用不能状態を前記使用可能状態に変更するように構成される、請求項１に記載のモバイルコミュニケーター。
【請求項５】
前記信号発生デバイスは車両内に設置される、請求項４に記載のモバイルコミュニケー
ター。
【請求項６】
前記信号発生デバイスは、前記車両の客室部分に限られた所定のエリアにおいて前記信号を発生させる、請求項５に記載のモバイルコミュニケーター。
【請求項７】
前記信号発生デバイスは、前記車両の電気系統によって電力を供給される、請求項５に記載のモバイルコミュニケーター。
【請求項８】
前記信号発生デバイスは、ブローチ、ペンダント、リング、ネックレス、腕時計、ブレスレット、イヤリング、お守り及びリストバンドからなる群から選択された物品に設置される、請求項４に記載のモバイルコミュニケーター。
【請求項９】
前記信号発生デバイスは、前記モバイルコミュニケーターの前記イネーブリングシステムを無効にするように構成される、請求項４に記載のモバイルコミュニケーター。
【請求項１０】
前記モバイルコミュニケーターの前記ハンズフリーモードは音声コマンドによって起動される、請求項１に記載のモバイルコミュニケーター。
【請求項１１】
前記イネーブリングシステムのロジックは、前記モバイルコミュニケーターが、≦設定値速度である速度において移動しているときに、該モバイルコミュニケーターの前記初期デフォルト使用不能状態を前記使用可能状態に変更するように構成される、請求項１に記載のモバイルコミュニケーター。
【請求項１２】
コマンドを入力することによって、ユーザーが前記イネーブリングシステムを自発的に無効にする、請求項１に記載のモバイルコミュニケーター。
【請求項１３】
前記自発的に無効にすることは、前記モバイルコミュニケーターのＧＰＳ受信機の動作を停止するように構成される、請求項１２に記載のモバイルコミュニケーター。
【請求項１４】
前記イネーブリングシステムが前記初期デフォルト使用不能状態を前記使用可能状態に変更した場合であっても、ユーザーがコマンドを入力し、前記ディスプレイ、前記通知機構、前記ユーザーインターフェース、前記送信機、前記受信機、前記テキストメッセージングインターフェース、前記画像メッセージングインターフェース、前記ビデオメッセージングインターフェース、前記インターネットブラウザー、前記画像取得器、前記音声取得器、前記ビデオ取得器、前記ＧＰＳグラフィカルマップビューワー、前記ゲームプレーヤー、前記ビデオプレーヤー、前記デジタル音楽プレーヤー、前記アラーム時計、前記デジタルメモパッド、前記デジタルカレンダー、前記双方向無線機、前記電子ブックリーダー、前記電子接触ローロデックス及び前記計算機のうちの少なくとも１つを使用不能にする、請求項１に記載のモバイルコミュニケーター。
【請求項１５】
ＧＰＳ受信機、セルタワー三角測量、セルタワー三辺測量及びセルタワー多辺測量からなる群から選択されたプロセスを用いて速度が求められる、請求項１１に記載のモバイルコミュニケーター。
【請求項１６】
モバイルコミュニケーターであって、
コンタクトであって、開構成と閉構成との間で動作可能であり、該コンタクトが閉じた位置にあるときに電気回路を完成し、それにより該モバイルコミュニケーターを起動し、該モバイルコミュニケーターに機能を提供するように配置されるコンタクトと、
ディスプレイと、
ユーザーに知らせるための通知機構と、
ユーザーが複数のアイデンティティ入力を入力することを可能にするように構成されるユーザーインターフェースであって、該複数のアイデンティティ入力は数字及び文字のアルファニューメリックの組み合わせに関連付けられる、ユーザーインターフェースと、
前記ユーザーインターフェースと動作可能に通信し、該モバイルコミュニケーターから、前記宛先入力に対応する宛先への送信を送るように構成される送信機と、
送信側デバイスからの送信を受信することができる受信機と、
イネーブリングシステムとを備え、
該モバイルコミュニケーターは初期デフォルト使用不能状態を含み、前記ディスプレイ、前記通知機構、前記ユーザーインターフェース、前記送信機、前記受信機、テキストメッセージングインターフェース、画像メッセージングインターフェース、ビデオメッセージングインターフェース、インターネットブラウザー、画像取得器、音声取得器、ビデオ取得器、ＧＰＳグラフィカルマップビューワー、ゲームプレーヤー、ビデオプレーヤー、デジタル音楽プレーヤー、アラーム時計、デジタルメモパッド、デジタルカレンダー、双方向無線機、電子ブックリーダー、電子接触ローロデックス及び計算機のうちの少なくとも１つが使用不能にされ、
前記コンタクトが前記閉じた位置にあり、前記起動する電気回路が完成するときでも、該モバイルコミュニケーターは前記初期デフォルト使用不能状態のままであり、
該モバイルコミュニケーターが信号発生デバイスによる信号を受信するときに、前記イネーブリングシステムのロジックが該モバイルコミュニケーターの前記初期デフォルト使用不能状態を使用可能状態に変更するように構成され、前記ディスプレイ、前記通知機構、前記ユーザーインターフェース、前記送信機、前記受信機、前記テキストメッセージングインターフェース、前記画像メッセージングインターフェース、前記ビデオメッセージングインターフェース、前記インターネットブラウザー、前記画像取得器、前記音声取得器、前記ビデオ取得器、前記ＧＰＳグラフィカルマップビューワー、前記ゲームプレーヤー、前記ビデオプレーヤー、前記デジタル音楽プレーヤー、前記アラーム時計、前記デジタルメモパッド、前記デジタルカレンダー、前記双方向無線機、前記電子ブックリーダー、前記電子接触ローロデックス及び前記計算機のうちの少なくとも１つが使用可能になる、モバイルコミュニケーター。
【請求項１７】
前記イネーブリングシステムのロジックは、前記モバイルコミュニケーターのハンズフリーモードが起動されるときに、前記モバイルコミュニケーターの前記初期デフォルト使用不能状態を使用可能状態に変更するように構成される、請求項１６に記載のモバイルコミュニケーター。
【請求項１８】
前記ハンズフリーモードは、前記モバイルコミュニケーターに取り付けられたホルスターデバイスによって起動される、請求項１７に記載のモバイルコミュニケーター。
【請求項１９】
前記ハンズフリーモードは、前記モバイルコミュニケーターに取り付けられたパーソナルエリアネットワークデバイスによって起動される、請求項１７に記載のモバイルコミュニケーター。
【請求項２０】
前記モバイルコミュニケーターの前記ハンズフリーモードは音声コマンドによって起動される、請求項１７に記載のモバイルコミュニケーター。
【請求項２１】
前記信号発生デバイスは車両内に設置される、請求項１６に記載のモバイルコミュニケーター。
【請求項２２】
前記信号発生デバイスは、前記車両の客室部分に限られた所定のエリアにおいて前記信号を発生させることができる、請求項２１に記載のモバイルコミュニケーター。
【請求項２３】
前記信号発生デバイスは、前記車両の電気系統によって電力を供給される、請求項２１に記載のモバイルコミュニケーター。
【請求項２４】
前記信号発生デバイスは、ブローチ、ペンダント、リング、ネックレス、腕時計、ブレスレット、イヤリング、お守り及びリストバンドからなる群から選択された物品に設置される、請求項１６に記載のモバイルコミュニケーター。
【請求項２５】
前記信号発生デバイスは、前記モバイルコミュニケーターの前記イネーブリングシステムを無効にするように構成される、請求項１６に記載のモバイルコミュニケーター。
【請求項２６】
前記イネーブリングシステムのロジックは、前記モバイルコミュニケーターが、≦設定値速度である速度において移動しているときに、前記モバイルコミュニケーターの前記初期デフォルト使用不能状態を前記使用可能状態に変更するように構成される、請求項１６に記載のモバイルコミュニケーター。
【請求項２７】
ＧＰＳ受信機、セルタワー三角測量、セルタワー三辺測量、及びセルタワー多辺測量からなる群から選択されたプロセスを用いて速度が求められる、請求項２６に記載のモバイルコミュニケーター。
【請求項２８】
コマンドを入力することによって、ユーザーが前記イネーブリングシステムを自発的に無効にする、請求項１６に記載のモバイルコミュニケーター。
【請求項２９】
前記自発的に無効にすることは、前記モバイルコミュニケーターのＧＰＳ受信機の動作を停止するように構成される、請求項２８に記載のモバイルコミュニケーター。
【請求項３０】
前記イネーブリングシステムが前記初期デフォルト使用不能状態を前記使用可能状態に変更した場合であっても、ユーザーがコマンドを入力し、前記ディスプレイ、前記通知機構、前記ユーザーインターフェース、前記送信機、前記受信機、前記テキストメッセージングインターフェース、前記画像メッセージングインターフェース、前記ビデオメッセージングインターフェース、前記インターネットブラウザー、前記画像取得器、前記音声取得器、前記ビデオ取得器、前記ＧＰＳグラフィカルマップビューワー、前記ゲームプレーヤー、前記ビデオプレーヤー、前記デジタル音楽プレーヤー、前記アラーム時計、前記デジタルメモパッド、前記デジタルカレンダー、前記双方向無線機、前記電子ブックリーダー、前記電子接触ローロデックス及び前記計算機のうちの少なくとも１つを使用不能にする、請求項１６に記載のモバイルコミュニケーター。
【請求項３１】
モバイルコミュニケーターシステムであって、
モバイルコミュニケーターであって、
コンタクトであって、開構成と閉構成との間で動作可能であり、該コンタクトが閉じた位置にあるときに電気回路を完成し、それにより該モバイルコミュニケーターを起動し、該モバイルコミュニケーターに機能を提供するように配置されるコンタクトと、
ディスプレイと、
ユーザーに知らせるための通知機構と、
ユーザーが複数のアイデンティティ入力を入力することを可能にするように構成されるユーザーインターフェースであって、該複数のアイデンティティ入力は数字及び文字のアルファニューメリックの組み合わせに関連付けられる、ユーザーインターフェースと、
前記ユーザーインターフェースと動作可能に通信し、該モバイルコミュニケーターから、前記宛先入力に対応する宛先への送信を送るように構成される送信機と、
送信側デバイスからの送信を受信することができる受信機と、
イネーブリングシステムとを備え、
該モバイルコミュニケーターは初期デフォルト使用不能状態を含み、前記ディスプレイ、前記通知機構、前記ユーザーインターフェース、前記送信機、前記受信機、テキストメッセージングインターフェース、画像メッセージングインターフェース、ビデオメッセージングインターフェース、インターネットブラウザー、画像取得器、音声取得器、ビデオ取得器、ＧＰＳグラフィカルマップビューワー、ゲームプレーヤー、ビデオプレーヤー、デジタル音楽プレーヤー、アラーム時計、デジタルメモパッド、デジタルカレンダー、双方向無線機、電子ブックリーダー、電子接触ローロデックス及び計算機のうちの少なくとも１つが使用不能にされ、
前記コンタクトが前記閉じた位置にあり、前記起動する電気回路が完成するときでも、該モバイルコミュニケーターは前記初期デフォルト使用不能状態のままであり、
少なくとも１つの条件が満たされたときに、前記イネーブリングシステムのロジックが該モバイルコミュニケーターの前記初期デフォルト使用不能状態を使用可能状態に変更するように構成され、前記ディスプレイ、前記通知機構、前記ユーザーインターフェース、前記送信機、前記受信機、前記テキストメッセージングインターフェース、前記画像メッセージングインターフェース、前記ビデオメッセージングインターフェース、前記インターネットブラウザー、前記画像取得器、前記音声取得器、前記ビデオ取得器、前記ＧＰＳグラフィカルマップビューワー、前記ゲームプレーヤー、前記ビデオプレーヤー、前記デジタル音楽プレーヤー、前記アラーム時計、前記デジタルメモパッド、前記デジタルカレンダー、前記双方向無線機、前記電子ブックリーダー、前記電子接触ローロデックス及び前記計算機のうちの少なくとも１つが使用可能になる、モバイルコミュニケーターと、
前記モバイルコミュニケーターと通信する信号発生デバイスであって、該信号発生デバイスは、信号を発生させて、該信号を前記モバイルコミュニケーターに送信するように構成され、該信号は前記モバイルコミュニケーターの機能を変更する、信号発生デバイスと、
を備える、モバイルコミュニケーターシステム。
【請求項３２】
前記信号発生デバイスは車両に一体に設置される、請求項３１に記載のモバイルコミュニケーターシステム。
【請求項３３】
前記信号発生デバイスは前記車両のコンピューター診断システムと動作可能に通信する、請求項３２に記載のモバイルコミュニケーターシステム。
【請求項３４】
前記信号発生デバイスはＧＰＳ受信機と動作可能に通信する、請求項３２に記載のモバイルコミュニケーターシステム。
【請求項３５】
前記信号発生デバイスは、運転者のゾーンにのみ届く第１の信号を放射し、前記信号発生デバイスは、前記車両全体に届く第２の信号を放射し、前記第１の信号は、前記モバイルコミュニケーターのハンズフリーモードが起動されない限り、前記モバイルコミュニケーターが使用可能になるのを防ぎ、前記第２の信号はモバイルコミュニケーターを使用可能にする、請求項３２に記載のモバイルコミュニケーターシステム。
【発明の詳細な説明】
【技術分野】
【０００１】
本発明は、包括的には移動通信デバイスを使用するための装置及び方法に関し、より具体的には移動通信デバイスを制御するための装置及び方法に関する。
【０００２】
［関連出願］
本出願は、「Apparatus, System, and Method for Disabling a Mobile Communicator」と題する、２００７年８月１日に出願された同時係属の米国特許出願第１１／８３２，４３２号の一部継続出願であり、かつその米国特許出願に対する優先権を主張し、さらに、その米国特許出願は、「Apparatus for Enabling a Mobile Communicator and Methods
of Using the Same」と題する、２００５年５月１０日に出願された米国特許出願第１０／９０８，３７７号、現在、２００９年９月１５日に発行された米国特許第７，５９０，４０５号の一部継続出願であり、いずれも参照によりその全体が本明細書に援用される。
【背景技術】
【０００３】
移動携帯電話若しくは無線携帯電話、又は双方向無線機のような他の無線移動通信デバイスは、家又は事務所から外出しているときに通信するための一般的なデバイスになってきた。無線移動通信デバイスは携帯することができ、このためモバイルコミュニケーターはいつでもアクセス可能とすることができるので、無線移動通信デバイスだけに頼る人もいる。携帯電話の使用を制限することが必要な場合がある条件が生じたときでも、携帯電話は、有線電話に課される場合がある使用制限によって制約を受けない場合があるので、無線携帯電話のこのユビキタスな性質は不都合な場合がある。
【発明の概要】
【発明が解決しようとする課題】
【０００４】
それゆえ、携帯電話の使用を制限することが必要な場合がある条件が生じたときに、携帯電話の使用を制御することが必要とされている。
【課題を解決するための手段】
【０００５】
本発明の第１の態様は、モバイルコミュニケーター（mobile communicator）であって、コンタクトであって、開構成と閉構成との間で動作可能であり、該コンタクトが閉じた位置にあるときに電気回路を完成し、それにより該モバイルコミュニケーターを起動し、該モバイルコミュニケーターに機能を提供するように配置されるコンタクトと、ディスプレイと、ユーザーに知らせるための通知機構と、ユーザーが複数の宛先入力を入力することを可能にするように構成されるユーザーインターフェースであって、該複数の宛先入力は数字及び文字のアルファニューメリック（alphanumeric）の組み合わせに関連付けられる、ユーザーインターフェースと、前記ユーザーインターフェースと動作可能に通信し、該モバイルコミュニケーターから、前記宛先入力に対応する宛先への送信を送るように構成される送信機と、送信側デバイスからの送信を受信することができる受信機と、イネーブリングシステム（enabling system）とを備え、該モバイルコミュニケーターは初期デフォルト使用不能状態を含み、前記ディスプレイ、前記通知機構、前記ユーザーインターフェース、前記送信機、前記受信機、テキストメッセージングインターフェース、画像メッセージングインターフェース、ビデオメッセージングインターフェース、インターネットブラウザー、画像取得器、音声取得器、ビデオ取得器、ＧＰＳグラフィカルマップビューワー、ゲームプレーヤー、ビデオプレーヤー、デジタル音楽プレーヤー、アラーム時計、デジタルメモパッド、デジタルカレンダー、双方向無線機、電子ブックリーダー、電子接触ローロデックス（electronic contact rolodex）及び計算機のうちの少なくとも１つが使用不能にされ、前記コンタクトが前記閉じた位置にあり、前記起動する電気回路が完
成するときでも、該モバイルコミュニケーターは前記初期デフォルト使用不能状態のままであり、該モバイルコミュニケーターのハンズフリーモードが起動されるときに、前記イネーブリングシステムのロジックが該モバイルコミュニケーターの前記初期デフォルト使用不能状態を使用可能状態に変更するように構成され、前記ディスプレイ、前記通知機構、前記ユーザーインターフェース、前記送信機、前記受信機、前記テキストメッセージングインターフェース、前記画像メッセージングインターフェース、前記ビデオメッセージングインターフェース、前記インターネットブラウザー、前記画像取得器、前記音声取得器、前記ビデオ取得器、前記ＧＰＳグラフィカルマップビューワー、前記ゲームプレーヤー、前記ビデオプレーヤー、前記デジタル音楽プレーヤー、前記アラーム時計、前記デジタルメモパッド、前記デジタルカレンダー、前記双方向無線機、前記電子ブックリーダー、前記電子接触ローロデックス及び前記計算機のうちの少なくとも１つが使用可能になる、モバイルコミュニケーターを提供する。
【０００６】
本発明の第２の態様は、モバイルコミュニケーターであって、コンタクトであって、開構成と閉構成との間で動作可能であり、該コンタクトが閉じた位置にあるときに電気回路を完成し、それにより該モバイルコミュニケーターを起動し、該モバイルコミュニケーターに機能を提供するように配置されるコンタクトと、ディスプレイと、ユーザーに知らせるための通知機構と、ユーザーが複数の宛先入力を入力することを可能にするように構成されるユーザーインターフェースであって、該複数の宛先入力は数字及び文字のアルファニューメリックの組み合わせに関連付けられる、ユーザーインターフェースと、前記ユーザーインターフェースと動作可能に通信し、該モバイルコミュニケーターから、前記宛先入力に対応する宛先への送信を送るように構成される送信機と、送信側デバイスからの送信を受信することができる受信機と、イネーブリングシステムとを備え、該モバイルコミュニケーターは初期デフォルト使用不能状態を含み、前記ディスプレイ、前記通知機構、前記ユーザーインターフェース、前記送信機、前記受信機、テキストメッセージングインターフェース、画像メッセージングインターフェース、ビデオメッセージングインターフェース、インターネットブラウザー、画像取得器、音声取得器、ビデオ取得器、ＧＰＳグラフィカルマップビューワー、ゲームプレーヤー、ビデオプレーヤー、デジタル音楽プレーヤー、アラーム時計、デジタルメモパッド、デジタルカレンダー、双方向無線機、電子ブックリーダー、電子接触ローロデックス及び計算機のうちの少なくとも１つが使用不能にされ、前記コンタクトが前記閉じた位置にあり、前記起動する電気回路が完成するときでも、該モバイルコミュニケーターは前記初期デフォルト使用不能状態のままであり、該モバイルコミュニケーターが信号発生デバイスによる信号を受信するときに、前記イネーブリングシステムのロジックが該モバイルコミュニケーターの前記初期デフォルト使用不能状態を使用可能状態に変更するように構成され、前記ディスプレイ、前記通知機構、前記ユーザーインターフェース、前記送信機、前記受信機、前記テキストメッセージングインターフェース、前記画像メッセージングインターフェース、前記ビデオメッセージングインターフェース、前記インターネットブラウザー、前記画像取得器、前記音声取得器、前記ビデオ取得器、前記ＧＰＳグラフィカルマップビューワー、前記ゲームプレーヤー、前記ビデオプレーヤー、前記デジタル音楽プレーヤー、前記アラーム時計、前記デジタルメモパッド、前記デジタルカレンダー、前記双方向無線機、前記電子ブックリーダー、前記電子接触ローロデックス及び前記計算機のうちの少なくとも１つが使用可能になる、モバイルコミュニケーターを提供する。
【０００７】
本発明の第３の態様は、モバイルコミュニケーターシステムであって、モバイルコミュニケーターであって、コンタクトであって、開構成と閉構成との間で動作可能であり、該コンタクトが閉じた位置にあるときに電気回路を完成し、それにより該モバイルコミュニケーターを起動し、該モバイルコミュニケーターに機能を提供するように配置されるコンタクトと、ディスプレイと、ユーザーに知らせるための通知機構と、ユーザーが複数の宛先入力を入力することを可能にするように構成されるユーザーインターフェースであって
、該複数の宛先入力は数字及び文字のアルファニューメリックの組み合わせに関連付けられる、ユーザーインターフェースと、前記ユーザーインターフェースと動作可能に通信し、該モバイルコミュニケーターから、前記宛先入力に対応する宛先への送信を送るように構成される送信機と、送信側デバイスからの送信を受信することができる受信機と、イネーブリングシステムとを備え、該モバイルコミュニケーターは初期デフォルト使用不能状態を含み、前記ディスプレイ、前記通知機構、前記ユーザーインターフェース、前記送信機、前記受信機、テキストメッセージングインターフェース、画像メッセージングインターフェース、ビデオメッセージングインターフェース、インターネットブラウザー、画像取得器、音声取得器、ビデオ取得器、ＧＰＳグラフィカルマップビューワー、ゲームプレーヤー、ビデオプレーヤー、デジタル音楽プレーヤー、アラーム時計、デジタルメモパッド、デジタルカレンダー、双方向無線機、電子ブックリーダー、電子接触ローロデックス及び計算機のうちの少なくとも１つが使用不能にされ、前記コンタクトが前記閉じた位置にあり、前記起動する電気回路が完成するときでも、該モバイルコミュニケーターは前記初期デフォルト使用不能状態のままであり、少なくとも１つの条件が満たされたときに、前記イネーブリングシステムのロジックが該モバイルコミュニケーターの前記初期デフォルト使用不能状態を使用可能状態に変更するように構成され、前記ディスプレイ、前記通知機構、前記ユーザーインターフェース、前記送信機、前記受信機、前記テキストメッセージングインターフェース、前記画像メッセージングインターフェース、前記ビデオメッセージングインターフェース、前記インターネットブラウザー、前記画像取得器、前記音声取得器、前記ビデオ取得器、前記ＧＰＳグラフィカルマップビューワー、前記ゲームプレーヤー、前記ビデオプレーヤー、前記デジタル音楽プレーヤー、前記アラーム時計、前記デジタルメモパッド、前記デジタルカレンダー、前記双方向無線機、前記電子ブックリーダー、前記電子接触ローロデックス及び前記計算機のうちの少なくとも１つが使用可能になる、モバイルコミュニケーターを備える、モバイルコミュニケーターシステムを提供する。本システムは、前記モバイルコミュニケーターと通信する信号発生デバイスであって、該信号発生デバイスは、信号を発生させて、該信号を前記モバイルコミュニケーターに送信するように構成され、該信号は前記モバイルコミュニケーターの機能を変更する、信号発生デバイスを更に備える。
【図面の簡単な説明】
【０００８】
【図１】本発明の実施形態による、キット及びモバイルコミュニケーターを示す図である。
【図２】本発明の実施形態による、キット及びモバイルコミュニケーターを使用するための方法の実施形態を示す図である。
【図３】本発明の実施形態による、キット及びモバイルコミュニケーターを使用するための方法の実施形態を示す図である。
【図４】本発明の実施形態による、キット及びモバイルコミュニケーターを使用するための方法の実施形態を示す図である。
【図５】本発明の実施形態による、キット及びモバイルコミュニケーターを使用するための方法の実施形態を示す図である。
【図６】本発明の実施形態による、キット及びモバイルコミュニケーターを使用するための方法の実施形態を示す図である。
【図７】本発明の実施形態による、キット及びモバイルコミュニケーターを使用するための方法の実施形態を示す図である。
【図８】本発明のモバイルコミュニケーター装置の一実施形態の図である。
【図９】本発明による、モバイルコミュニケーターディセーブリングシステムの一実施形態の図である。
【図１０】本発明による、モバイルコミュニケーターの位置を特定するための方法の図である。
【図１１】本発明による、モバイルコミュニケーターの位置を特定するための代替の方法の図である。
【図１２】本発明による、モバイルコミュニケーター装置内のロジックの図である。
【図１３】本発明による、モバイルコミュニケーターを使用不能にするための方法の図である。
【図１４】本発明による、モバイルコミュニケーターを示す図である。
【図１５】本発明による、ホルスターに取り付けられたモバイルコミュニケーターを示す図である。
【図１６】本発明による、モバイルコミュニケーターのイネーブリングシステムの自発的な無効化を示す図である。
【図１７】本発明による、自発的なコマンドに基づいてモバイルコミュニケーターをさらに使用不能にすることを示す図である。
【図１８】本発明による、モバイルコミュニケーターと通信する信号発生デバイスを示す図である。
【発明を実施するための形態】
【０００９】
移動携帯電話、又は双方向無線機のような他の移動通信デバイスは、家又は事務所から外出しているときに通信するための一般的なデバイスになってきた。移動通信デバイスは携帯することができ、このためいつでもモバイルコミュニケーターの近くにいることができるので、移動通信デバイスだけに頼る人もいる。
【００１０】
第一に、或るユーザーが他の人の近傍において携帯電話からの通話を受信又は送信するときに、これは、他の人が独り静かな環境を楽しむことを邪魔する場合があるので、携帯電話のこのユビキタスな性質は不都合な場合がある。これ以降、「他の人の近傍」は、他の人に聞こえる距離と規定される。
【００１１】
第二に、携帯電話を介して、又は携帯電話の付属カメラ（camera accessory）によって、又は従業員若しくは訪問者が企業秘密若しくは他の機密情報にアクセスすることによって、そのような企業秘密又は機密情報が外部に漏れるのを防ぐことを望む企業にとっても、携帯電話のこのユビキタスな性質は不都合な場合がある。
【００１２】
第三に、安全性に対する懸念という理由からも、携帯電話のこのユビキタスな性質は不都合な場合がある。移動中車両の運転者が車両の運転中に移動通信デバイスを使用する結果として生じるおそれがある移動中車両の事故の件数を減らすために、ニューヨーク州等の数多くの州が、車両の運転中に、移動中車両の運転者が移動通信デバイスを持つことを禁止する法律を制定している。
【００１３】
それゆえ、携帯電話又は他の移動通信デバイスを使用することから生じる、安全上の問題又は他の人の独り静かな環境に対する妨害を回避するために、予防措置を講じることが必要とされている。
【００１４】
移動中車両の運転者が車両の運転中に移動通信デバイスを使用する結果として生じるおそれがある移動中車両の事故の件数を減らすために、ニューヨーク州等の数多くの州が、車両の運転中に、移動中車両の運転者が移動通信デバイスを持つことを禁止する法律を制定している。
【００１５】
それゆえ、携帯電話のようなモバイルコミュニケーターを、送信及び可聴音受信機能６８０を使用可能にするための或る特定の条件が満たされない限り、送信及び可聴音受信機能６８０のうちの幾つか又は全てを使用不能状態のままにすることができるように装備することが必要とされている。送信及び可聴音受信機能６８０の非限定的な例は、メッセージ又は着信を呼出音によって知らせること、着呼／発呼、例えば、モバイルコミュニケー
ター３７０において電話を受けること及びかけること、カメラのような写真複写機能を使用すること、テキストメッセージング又は電子メールのためのユーザーインターフェースとしてパームパイロットのようなマイクロコンピューター機能を使用すること、電子コミュニケーター及びその組み合わせを含む。
【００１６】
図１は、イネーブリングシステム３６０を含むキット２０５又はモバイルコミュニケーター３７０を示しており、イネーブリングシステム３６０は、少なくとも１つの条件が満たされた場合にキット２０５又はモバイルコミュニケーター３７０を起動するための「スタートスイッチ」２０３を含み、緊急サービスプロバイダー１８０への発信はイネーブリングシステム３６０によっていつでも使用可能にすることができる。代替的には、キット２０５又はモバイルコミュニケーター３７０は、スタートスイッチ２０３を起動することができる場合であっても、少なくとも１つの条件が満たされない場合には、デフォルト使用不能状態４１０のままにすることができる。イネーブリングシステム３６０は、コミュニケーターコントローラー３５０によってユーザーを識別するためのパスワードのような、コミュニケーターコントローラー３５０に情報を入力するためのキーパッド２４０、キット２０５又はモバイルコミュニケーター３７０の位置を送信するための位置送信機２７０、キット２０５又はモバイルコミュニケーター３７０の地理的位置に関して、点滅光又は可聴音のような警報等の通知を与えるためのロケータービーコン２１３、緊急サービスプロバイダー１８０のような緊急サービスプロバイダーを呼び出すための緊急ダイヤラー２６０、グローバルポジショニングシステム（ＧＰＳ）受信機２１０、プライバシー信号アンテナ２６９を有するプライバシー受信機システム２７３、音声認識システム２３０、動き検出器２２８、マイクロフォン２７５及びイネーブリング回路２５０を含むことができる。マイクロフォン２７５は、音波（複数の場合もあり）を電気信号に変換することができる任意のデバイスとすることができるが、マイクロフォン２７５は、以下の仕様：１００ＫＨｚ〜１０ＫＨｚ周波数応答；低インピーダンス；ノーマル及びズーム設定；約−６６ｄＢ±３ｄＢ不平衡（ノーマル）；−７９ｄＢ±３ｄＢ不平衡（ズーム）の実効出力レベル；８０ｄＢまでのマイクロフォン２７５範囲を有することができる。
【００１７】
マイクロフォン２７５は、受信した音（複数の場合もあり）を、ワイヤ２８５を介して、若しくは無線で音声認識システム２３０に、又はワイヤ２７７を介して、若しくは無線でプライバシー受信機システム２７３に与えることができる。プライバシー信号発生器２７８が、アンテナ２７４から送信することによって、プライバシー信号を無線でマイクロフォン２７５に与えることができる。マイクロフォン２７５は、アンテナ２７４から無線で受信したプライバシー信号を、ワイヤ２７７を介して、又は無線でプライバシー受信機システム２７３に与えることができる。プライバシー信号発生器２７８は、プライバシー信号を無線でプライバシー受信機システム２７３に与えることができ、プライバシー信号発生器２７８のアンテナ２７４はプライバシー信号を送信することができ、プライバシー信号受信機２７３のアンテナ２６９はプライバシー信号を受信することができる。代替的には、プライバシー信号発生器２７８は、プライバシー信号を、ワイヤ２６８を介して、又は無線でプライバシー受信機２７３に与えることができる。イネーブリング回路２５０は、複数の条件のうちの少なくとも１つを満たすことができる場合には、モバイルコミュニケーター３７０を使用可能にするロジックを含むことができ、緊急サービスプロバイダー１８０への発信はイネーブリングシステム３６０によっていつでも使用可能にすることができる。これ以降、「モバイルコミュニケーター３７０を使用可能にする」は、モバイルコミュニケーター３７０の送信及び可聴音受信機能６８０を起動するために、モバイルコミュニケーター３７０の送信及び可聴音受信機能６８０を稼働させることと規定される。これ以降、「ロジック」は、イエス／ノー決定を含む、分類、比較及び照合のような、イネーブリング回路２５０又はコンピューター（図示せず）内の論理回路によって実行される非算術演算と規定され、ロジックは、イネーブリング回路２５０又はコンピューター（図示せず）内に配置することができるコンピューターソフトウエア又はコンピューター
回路によって与えることができる。
【００１８】
「スタートスイッチ」２０３は、コンタクトクロージャ（contact closure）のような、ワイヤ２０１を介して、又は無線でコミュニケーターコントローラー３５０内の電気回路を開閉する任意の適切な手段とすることができる。これ以降、コンタクトクロージャは、開く、すなわち、極めて大きな電気抵抗を有することができるか、又は閉じる、すなわち、導電することができる、電気回路内の種々の電気スイッチとすることができる。コンタクトクロージャは、ワイヤ２０１を介して、又は無線でコミュニケーターコントローラー３５０に対してコンタクトクロージャを提供するスタートスイッチ２０３とすることができ、その電気回路は、コミュニケーターコントローラー３５０と、ワイヤ２２５若しくは無線によるイネーブリング回路２５０、ワイヤ２３５若しくは無線による緊急ダイヤラー２６０、又はワイヤ２５５若しくは無線による位置送信機２７０のような、イネーブリングシステム３６０の少なくとも１つの他の構成要素とを含むことができる。代替的には、コンタクトクロージャは、ワイヤ２２５を介して、又は無線でコミュニケーターコントローラー３５０に対してコンタクトクロージャを提供するイネーブリング回路２５０とすることができ、その電気回路は、コミュニケーターコントローラー３５０と、ワイヤ２２５又は無線によるイネーブリング回路２５０及びイネーブリング回路２５０と、ワイヤ２００、２４３、２４７又は無線によるＧＰＳ受信機２１０、及びワイヤ２２３又は無線による音声認識システム２３０、及びワイヤ２２９又は無線による動き検出器２２８、及びワイヤ２４１又は無線によるプライバシー受信機システム２７３のような、イネーブリングシステム３６０の少なくとも１つの他の構成要素とを含むことができる。コンタクトクロージャが閉じられるとき、コミュニケーターコントローラー３５０及びイネーブリング回路２５０を含むことができる電気回路が完成し、機能を果たすことができる。代替的には、コンタクトクロージャが開いているとき、コミュニケーターコントローラー３５０及びイネーブリング回路２５０を含むことができる電気回路は開路であり、機能を果たさない。電気回路が開路であり、機能を果たさないとき、キット２０５又はモバイルコミュニケーター３７０の送信及び可聴音受信機能６８０は、デフォルト使用不能状態４１０のままにすることができる。
【００１９】
本明細書において説明されるキット２０５又はモバイルコミュニケーター３７０の実施形態及び方法４００、４５０及び４６５の実施形態において、少なくとも１つの条件（４２０〜４８０）を満たすことができない場合には、データ検索及び非可聴音受信機能６８５は使用可能状態のままにすることができる。データ検索及び非可聴音受信機能６８５の非限定的な例は、着信をメッセージとして受信できること、着信メッセージのバイブレータ通知又は光学的通知、ビジュアルページ、電話番号又は他の格納された情報にアクセスすること、個人スケジュール及びその組み合わせを含む。
【００２０】
代替的には、コミュニケーターコントローラー３５０がスタートスイッチ２０３又はイネーブリング回路２５０からコンタクトクロージャを受信した場合には、コミュニケーターコントローラー３５０は、キット２０５又はモバイルコミュニケーター３７０の使用可能状態５１０の送信及び可聴音受信機能６８０を駆動することができるので、電気回路が閉じられ、機能を果たすときに、本明細書において説明される方法４００、４５０及び４６５の場合のように、少なくとも１つの条件（４２０〜４８０）を満たすことができる場合には、キット２０５又はモバイルコミュニケーター３７０の送信及び可聴音受信機能６８０を、デフォルト使用不能状態４１０から使用可能状態５１０に変更することができる。コミュニケーターコントローラー３５０は、ワイヤ６９０を介して、又は無線で送信及び可聴音受信機能６８０を駆動することができる。
【００２１】
キット２０５又はモバイルコミュニケーター３７０を使用可能にするために満たされなければならない少なくとも１つの条件は、緊急事態が生じていることとすることができ、
緊急事態が生じた場合には、緊急サービスプロバイダー１８０を呼び出すこと、及び／又は位置送信機２７０をトリガーすることを可能にすることができる。代替的には、少なくとも１つの条件は、ＧＰＳ受信機２１０がＧＰＳ信号を受信することとすることができ、ＧＰＳ信号が受信された場合には、モバイルコミュニケーター３７０の送信及び可聴音受信機能６８０を使用可能にすることができる。
【００２２】
これ以降、ＧＰＳ受信機２１０によって受信されるＧＰＳ信号は、地球上のキット２０５又はモバイルコミュニケーター３７０の経度及び緯度に関して、信号内で地理的な位置情報を与える任意の信号と規定される。そのような信号及び情報は、ＧＰＳ衛星、携帯電話プロバイダー、又は地球上のキット２０５又はモバイルコミュニケーター３７０の位置についての経度及び緯度情報を有する信号の任意の他のプロバイダーのような情報源から入手することができる。
【００２３】
代替的には、少なくとも１つの条件は、モバイルコミュニケーター３７０が速度≦設定値を有することとすることができ、モバイルコミュニケーターの速度が≦設定値である場合には、モバイルコミュニケーター３７０の可聴音受信及び送信機能６８０を使用可能にすることができる。代替的には、少なくとも１つの条件は、ユーザーの音声又はパスワードが認証されることとすることができ、ユーザーの音声若しくは識別音（複数の場合もあり）又はパスワードが認証された場合には、モバイルコミュニケーター３７０の送信及び可聴音受信機能６８０を使用可能にすることができる。ユーザーによって与えられる各音（複数の場合もあり）が、あらかじめプログラミングされるか又は録音されたユーザーの識別音（複数の場合もあり）と基本的に一致すると判断することによって、音声認識システム２３０はユーザーを認証することができる。代替的には、少なくとも１つの条件は、モバイルコミュニケーター３７０がプライバシー信号を受信することとすることができ、モバイルコミュニケーター３７０がプライバシー信号を受信した場合には、モバイルコミュニケーター３７０の送信及び可聴音受信機能６８０を使用可能にすることができる。プライバシー信号は、ブロードキャスト及びページャシステムからの信号、光／赤外線システムからの信号、音響／超音波システムからの信号、２．４ＧＨｚ、可聴音、非可聴音、及びその組み合わせを含むことができる。
【００２４】
キット２０５のイネーブリングシステム３６０は、グローバルポジショニングシステム（ＧＰＳ）受信機２１０、プライバシー信号受信機２７３及びコミュニケーターコントローラー３５０を含むことができる。ＧＰＳ受信機２１０は、ＧＰＳ信号を増幅するためのＧＰＳ信号増幅器１９０と、ＧＰＳプロセッサ２２０とを含むことができる。ＧＰＳ信号増幅器１９０は、ＧＰＳアンテナ２７１を含むことができる。ＧＰＳ信号増幅器１９０は、増幅されたＧＰＳ信号を、ワイヤ２００を介して、又は無線でＧＰＳプロセッサ２２０に通信することができる。代替的には、増幅されたＧＰＳ信号は、例えば、Ｗｉ−Ｆｉプロトコルを用いて、ＧＰＳ信号増幅器１９０によって無線でＧＰＳプロセッサ２２０に送信することができる。プライバシー信号受信機２７３は、マイクロフォン２７５から、通信ワイヤ２７７を介して、又は無線でプライバシー信号を受信することができる。プライバシー信号発生器２７８は、例えば、Ｗｉ−Ｆｉプロトコルを用いて、プライバシー信号を無線で発生させることができる。ＧＰＳプロセッサ２２０は、ＧＰＳ信号増幅器１９０からの情報を処理して、モバイルコミュニケーター３７０の速度及び／又は地理的位置を特定することができる。これ以降、「地理的位置」は、地表上の位置を特定することができる経度及び緯度を含む。ＧＰＳプロセッサ２２０は、上記速度及び地理的な位置情報を、ワイヤ２４７を介して、又は無線でイネーブリング回路２５０に与えることができる。プライバシー受信機システム２７３は、プライバシー信号を、ワイヤ２４３を介して、又は無線でイネーブリング回路２５０に与えることができる。利用される種々のタイプのプライバシー信号は、ブロードキャスト及びページャシステム、光／赤外線システム、及び音響／超音波システムからの信号とすることができる。代替的には、プライバシー信号は
２．４ＧＨｚにおいて動作することができる。
【００２５】
モバイルコミュニケーター３７０及びキット２０５の一実施形態では、プライバシー信号を受信しないことによって、限られた使用エリアにおいて、モバイルコミュニケーター３７０の送信及び可聴音受信機能６８０を使用可能にする。限られた使用エリアは、劇場、スポーツ競技大会、病院、教会、待合室、ロッカールーム、図書館、温泉、車両、企業秘密又は機密情報を保管するビジネスエリア、企業秘密又は機密専有情報が議論される会議室及びその組み合わせを含むことができる。車両は、航空機、自動車、列車の客車のような、乗客を運ぶ任意の輸送車両とすることができる。しかしながら、限られた使用エリアは、プライバシーがあること、静かであること、又は独りの環境を楽しむことが望まれる場合があり、モバイルコミュニケーター３７０のキット２０５の送信及び可聴音受信機能６８０が邪魔するおそれがある任意のエリアとすることができる。プライバシー信号を受信するために、かつ音声認識のために用いられるキット２０５又はモバイルコミュニケーター３７０のマイクロフォン２７５は、ユーザーが電話をかけるために話しかけることができるマイクロフォン、並びにキット２０５及びモバイルコミュニケーター３７０の受信及び送信機能用のマイクロフォンと、同じマイクロフォン２７５とすることができる。
【００２６】
ＧＰＳ受信機２１０は、（例えば、ＧＰＳとオートパイロットとの間で用いられるような）ＧＰＳプロトコルとして海洋用機器間のデータ通信用の全米海洋電子機器協会（ＮＥＭＡ）標準規格を用いることができる。ＧＰＳ受信機２１０は、高い精度及び／又は正確性を要求する他の地理的位置デバイスに対する低コストの代替手段を提供するように設計することができる。ＧＰＳ受信機２１０は、アクティブＧＰＳアンテナ２７１を有するＧＰＳ信号増幅器１９０を有することができる。ＧＰＳ受信機２１０は、ＰＣ又はナビゲーションシステムに接続するためのＲＳ−２３２出力を有することができ、概ね１００％防水性のポールマウント式の筐体内に封入することができる。ＮＭＥＡ  ＲＳ２３２出力は、ＧＰＳ受信機２１０のデータ列を翻訳し、処理するために、ＰＣへの容易な接続を提供することができる。ＧＰＳ２１３は、以下の精度とすることができる；水平位置、±１５ｍ  ２Ｄ  ＲＭＳ（ＳＡオフ）、速度、０．１ｍ／ｓｅｃ９５％（ＳＡオフ）、ＧＰＳ時刻への１μ秒同期、ＷＡＳＳ、±１０ｍ  ２Ｄ  ＲＭＳ。
【００２７】
イネーブリングシステム３６０は、音声認識システム２３０と、識別可能又は区別可能な音（複数の場合もあり）を入力するためのマイクロフォン２７５とを含むことができる。ユーザー識別音（複数の場合もあり）は、ユーザーの音声、又は音叉からの音、音符若しくは音楽クリップ、動物の音、若しくはユーザーが識別されることを望むことができる任意の音のような、ユーザー識別音又は周波数とすることができる。ユーザー識別音（複数の場合もあり）は、音声認識システム２３０によって録音されており、音声認識システム２３０によって認証されることになるユーザーによって提供される識別音と比較することができる音を有する、犬笛のような、人間の耳の範囲外にある高周波数音又は低周波数音のような、人間が聞き取ることができない音とすることができる。これ以降、音声認識システム２３０によって識別されることになるユーザーによって与えられる識別音（複数の場合もあり）と録音されたユーザー識別音（複数の場合もあり）とを比較することは、音声認識システム２３０がキット２０５又はモバイルコミュニケーター３７０のユーザーを「認識する」か、又は「認証する」ことができるプロセスの第１のステップである。そのプロセスの第２のステップは、識別音（複数の場合もあり）が、あらかじめプログラミングされるか、又はあらかじめ録音された識別音（複数の場合もあり）と一致するか、又は基本的に同じとすることができるか否かを判断することとすることができる。比較及び照合ステップは、周波数、音高、音量、及び音符、言葉の音節間の間隔等を含む、識別音（複数の場合もあり）の特徴を比較し、照合することができる。キット２０５又はモバイルコミュニケーター３７０の送信及び可聴音受信機能６８０を使用可能にするために満たされるべき少なくとも１つの条件は、認証されることになるユーザーによって与えられる
識別音（複数の場合もあり）の比較が、音声認識システム２３０によって、音声認識システム２３０内にあらかじめプログラミングされるか又は録音された識別音（複数の場合もあり）と基本的に同じであるか、又は基本的に一致すると判断されることとすることができる。これ以降、ユーザー識別音（複数の場合もあり）は、音声認識システム２３０によって認識可能な音を有する、ユーザーの音声、又は音叉からの音若しくは犬笛のような非可聴音のような識別音又は周波数を含む。マイクロフォン２７５は、ワイヤ２８５を介して、又は無線で音声認識システム２３０にユーザー識別音（複数の場合もあり）又はパスワードを与えることができ、音声認識システム２３０は、ユーザーの音声が認識されたか、又は認証されたことを、ワイヤ２２３を介して、又は無線でイネーブリング回路２５０に与えるか、又はシグナリングすることができる。
【００２８】
音声認識システム２３０は、ユーザーがマイクロフォン２７５に与えるユーザー識別音（複数の場合もあり）を認証することによって、ユーザー認証条件が満たされたことを判断することができる。「認証する」又は「認証」は、音声認識システム２３０がユーザーの音声又は音（複数の場合もあり）を認識して識別する、すなわち、キット２０５又はモバイルコミュニケーター３７０のイネーブリングシステム３６０に対して認証するように、ユーザー識別音（複数の場合もあり）と、音声認識システム２３０内に録音されているか又はあらかじめプログラミングされた、本物の又は実際のユーザー識別音（複数の場合もあり）とを比較することによって、ユーザーがマイクロフォン２７５に与えるユーザー識別音（複数の場合もあり）の信憑性又は同一性を判断することと規定される。キット２０５又はモバイルコミュニケーター３７０の送信及び可聴音受信機能６８０を使用可能にするために満たされるべき少なくとも１つの条件は、ユーザーの音声が認証されることとすることができる。緊急サービスプロバイダーにユーザーの識別情報を与え、ロケータービーコンをトリガーするために満たされるべき少なくとも１つの条件は、認証されたパスワード又は認証された音声を入力することとすることができる。
【００２９】
イネーブリング回路２５０は、認証を指示する信号を、ワイヤ２２３を介して、又は無線で音声認識システム２３０から受信することができる。音声認識システム２３０は、ユーザー識別音声又はユーザー識別音（複数の場合もあり）の周波数を、ワイヤ２８５を介して、又は無線でマイクロフォン２７５から受信することができる。
【００３０】
モバイルコミュニケーター３７０から電話をかける、又は発信するユーザーを、音声認識システム２３０によって認証することができる。人間の耳で聞き取れる音又は人間の耳では聞き取れない音を含む（including）、ユーザーによって与えられる音（複数の場合もあり）の周波数パターンが、音声認識システム２３０内にあらかじめプログラミングされるか又は録音することができるユーザー識別音（複数の場合もあり）のあらかじめプログラミングされるか又は録音された周波数パターンと一致するか、又は基本的に同じであると判断することによって、音声認識システム２３０はユーザーを認証することができる。
【００３１】
音声認識システム２７３によって認証されると、アドレスブック４８３内のような、イネーブリングシステム３６０内にあらかじめプログラミングされるか又は録音された、呼び出されることになる人の名前を話すか、又は言葉に表すことによって、ユーザーはキット２０５又はモバイルコミュニケーター３７０の送信及び可聴音受信機能６８０を使用可能にすることができる。したがって、人の名前、又はニックネームのような、その人の名前に添付される、あらかじめプログラミングされるか又は録音された任意の他のタグを話すか、又は言葉に表すことによって、ユーザーはアドレスブック４８３内の人の電話番号に電話をかけることができる。アドレスブック４８３は、認証されたユーザーによってアドレスブック４８３から呼び出すためのあらかじめプログラミングされるか又は録音された名前を、ワイヤ４８５を介して、又は無線で与えることができる。
【００３２】
本発明の実施形態を用いて、緊急サービスを受けるために緊急サービスプロバイダー１８０に電話をかけるユーザーの身元を通信することができる。例えば、認証されたパスワード又は認証された音声をキット２０５又はモバイルコミュニケーター３７０のイネーブリングシステム３６０に与えることによって、許可されたユーザーが緊急サービスプロバイダー１８０に身元を明らかにすることができる。認証されたパスワード又は認証された音声若しくは認証された音（複数の場合もあり）をキット２０５又はモバイルコミュニケーター３７０のイネーブリングシステム３６０に与えることによって、緊急ダイヤラー２６０及びロケータービーコン２１３をトリガーすることができる。音声認識システム２３０によって認証するためにユーザー識別音（複数の場合もあり）又は口頭によるパスワードを入力するために、かつプライバシー信号を入力するために用いられるモバイルコミュニケーター３７０のマイクロフォン２７５は、電話をかけるために用いられるのと同じマイクロフォンとすることができる。本発明者は、電話をかけるために、かつ音声認識システム２３０によって認証するためのユーザー識別音（複数の場合もあり）、若しくは口頭によるパスワードを入力するために、又はプライバシー受信機システム２７３を満たすためのプライバシー信号を入力するために同じマイクロフォン２７５を使用することによって、音声認識システム２３０又はプライバシー受信機システム２７３をバイパスする方法が不可能になる場合があることに気がついている。例えば、音声認識システム２３０によって認証するためのユーザー識別音（複数の場合もあり）若しくは口頭によるパスワードを、又はプライバシー受信機システム２７３を満たすためのプライバシー信号を受信できないように、音声認識システム２７３又はプライバシー受信機システム２７３を遮断することになれば、マイクロフォン２７５がユーザーの音声メッセージを受信しないことになり、それにより、電話をかけるためにマイクロフォン２７５を使用することができなくなるか、又は禁止されることになる。
【００３３】
イネーブリング回路２５０は、認証された音声がコミュニケーターコントローラー３５０を起動することができ、結果として、モバイルコミュニケーター３７０の着信／発信を可能にし、かつ緊急サービスプロバイダー１８０を呼び出すこと、９１１のような他の緊急電話番号を呼び出すこと、及び／又はロケータービーコン２１３をトリガーすることを含む、他の送信及び可聴音受信機能６８０を使用可能にするような通り／止まり（go/no go）論理を与えることができる。代替的には、コミュニケーターコントローラー３７０は、キーパッド２４０を用いて、パスワード若しくは個人識別番号（ＰＩＮ）、又は数字及び文字のアルファニューメリックの組み合わせを与えることによって起動することができる。
【００３４】
代替的には、音声認識システム２３０はＷｉ−Ｆｉ受信機を備えることができ、それにより、音声認識システム２３０は、Ｗｉ−Ｆｉプロトコル及びＷｉ−Ｆｉ送信機を用いて、マイクロフォン２７５からのユーザー識別音声又はユーザー識別音の周波数を、無線伝送を介して受信できるようにすることができる。これ以降、「Ｗｉ−Ｆｉ」はワイヤレス・フィデリティを指しており、８０２．１１ｂ、８０２．１１ａ、デュアルバンド等の任意のタイプの８０２．１１ネットワークを参照するときに包括的に使用することを意図している。この用語は、Ｗｉ−Ｆｉアライアンスによって広められた。
【００３５】
Ｗｉ−Ｆｉアライアンスによって「Ｗｉ−Ｆｉ  Ｃｅｒｔｉｆｉｅｄ」（登録商標）として試験され認可を受けた任意の製品は、異なる製造業者から市販される場合であっても、相互運用可能であると認定される。「Ｗｉ−Ｆｉ  Ｃｅｒｔｉｆｉｅｄ」製品を有するユーザーは、同じく認定された任意の他のブランドのクライアントハードウェアを有する任意のブランドのアクセスポイントを用いることができる。しかしながら、通常、同じ無線周波数（例えば、８０２．１１ｂ若しくは１１ｇの場合に２．４ＧＨｚ、又は８０２．１１ａの場合に５ＧＨｚ）を用いる任意のＷｉ−Ｆｉ製品は、「Ｗｉ−Ｆｉ  Ｃｅｒｔｉ
ｆｉｅｄ」でない場合でも、任意の他の製品とともに良好に機能するであろう。
【００３６】
ＩＥＥＥ８０２．３の代わりに「イーサネット」が使用されるのと同じように、以前は、用語「Ｗｉ−Ｆｉ」は、２．４ＧＨｚ  ８０２．１１ｂ標準規格の代わりにのみ使用された。アライアンスは、無線ＬＡＮ相互運用性についての混乱に歯止めをかけるために、その用語の包括的な使用を拡張した。
【００３７】
イネーブリング回路２５０は、イネーブリングシステム３６０がモバイルコミュニケーター３７０を使用可能にできるように、或る特定の条件が満たされたことを問い合わせるロジックを含むことができる。イネーブリング回路２５０は、特定の条件が満たされたことに関する問い合わせに対する応答が「Yes（肯定）」であるとき、ワイヤ２２５を介して、又は無線で、イネーブリング回路２５０とコミュニケーターコントローラー３５０との間の電気回路を完成するコンタクトクロージャを与えることができ、その電気回路によって、コミュニケーターコントローラー３５０が、キット２０５又はモバイルコミュニケーター３７０の使用可能状態５１０の送信及び可聴音受信機能６８０を駆動することができるようになる。一方、特定の条件が満たされたことに関する問い合わせに対する応答が「No（否定）」であるとき、コミュニケーターコントローラー３５０にコンタクトクロージャが与えられない場合がある。コミュニケーターコントローラー３５０がイネーブリング回路２５０からコンタクトクロージャを受信することができるとき、すなわち、或る特定の条件が満たされたとき、コミュニケーターコントローラー３５０は、或る特定の使用可能状態５１０の送信及び可聴音受信機能６８０を、ワイヤ６９０を介して、若しくは無線で駆動することもできるし、又はモバイルコミュニケーター３７０の非可聴音又は抑圧受信及び送信機能６８５を、ワイヤ６８７を介して、若しくは無線で駆動することもできる。使用可能状態５１０の送信及び可聴音受信機能６８０は、メッセージ又は着信を呼出音によって知らせること、着呼／発呼、例えば、モバイルコミュニケーター３７０において電話を受けること、及びかけること、並びにその組み合わせを含む。使用可能状態５１０の非可聴音又は抑圧受信及び送信機能６８５は、バイブレータ通知、カメラ、パームパイロット、テキストメッセージング、メッセージ受信及び記憶、インターネット接続、サイレントモード、高周波数部分のような送信周波数の一部を選択的に抑圧又は減衰させること、抑圧された出力の代わりにビデオ又は音声出力を用いること、及びそれらの組み合わせを含む。
【００３８】
イネーブリングシステム３６０は、ワイヤ２４５を介してコミュニケーターコントローラー３５０に情報を入力するためのキーパッド２４０を含むことができる。代替的には、キーパッド２４０は、無線でコミュニケーターコントローラー３５０に情報を入力することができる。
【００３９】
キット２０５又はモバイルコミュニケーター３７０を使用可能にするための少なくとも１つの条件が満たされたときに、キット２０５又はモバイルコミュニケーター３７０は、ハンズフリー通話のために使用可能にすることができる。ハンズフリー通話の目的は、スタートスイッチ２０３を起動する場合のように、キット２０５又はモバイルコミュニケーター３７０を操作するためにユーザーが両手を使えないときに、キット２０５又はモバイルコミュニケーター３７０を使用できるようにすることである。これ以降、「ハンズフリー通話」又は「ハンズフリー操作」は、呼び出されることになる人のあらかじめプログラミングされている名前又は電話番号をユーザーがアドレスブック４８３から検索できるようにすることと規定される。ユーザーは、アドレスブック４８３内のような、イネーブリングシステム３６０内にあらかじめプログラミングされるか又は録音された名前を話すか、又は言葉に表すことによって、キット２０５又はモバイルコミュニケーター３７０の送信及び可聴音受信機能６８０を使用可能にすることができる。したがって、ユーザーは、人の名前、又はニックネームのような、その人の名前に添付される、あらかじめプログラ
ミングされるか又は録音された任意の他のタグを話すか、又は言葉に表すことによって、その名前及び電話番号がアドレスブック４８３内に格納されている場合がある人の電話番号に電話をかけることができる。認証されたユーザーがアドレスブック４８３から呼び出すために、アドレスブック４８３はあらかじめプログラミングされるか又は録音された名前を、ワイヤ４８５を介して、又は無線で与えることができる。
【００４０】
コミュニケーターコントローラー３５０は、音声起動の緊急ダイヤラー２６０及び／又は位置送信機２７０を駆動することもできる。緊急ダイヤラー２６０及び／又は位置送信機２７０を稼働させるために、ユーザーは単に、単語又はフレーズのような所定の助けの要請を話すか又は言葉に表すだけでよく、例えば、マイクロフォン２７５に「助けて」と話しかけるか、又はキーパッド２４０を介してコミュニケーターコントローラー３５０に単語「助けて」を入力するだけでよい。単に単語又はフレーズのような所定の助けの要請を話すか、又は言葉に表すこと、例えば、マイクロフォン２７５に「助けて」と話しかけることによって、コミュニケーターコントローラー３５０は、キット２０５又はモバイルコミュニケーター３７０を駆動して、緊急サービスプロバイダー１８０を呼び出すことができ、かつ／又はユーザーがマイクロフォン２７５に所定の単語若しくはフレーズを話しかけたか、若しくはキーパッド２４０を介してコミュニケーターコントローラー３５０に単語若しくはフレーズを入力した時点を位置送信機２７０に通知することができる。
【００４１】
助けを求めるために緊急サービスプロバイダー１８０にそのような通話をする理由は、ハイキングのときにユーザーが道に迷い、安全な休憩場所を見つけるために誘導を必要とする場合、予期しない天候のために救助を必要とする場合、又は日が暮れないうちに安全な場所に戻る時間がない場合のような、任意の支援の要請を含むことができる。代替的には、ユーザーは、医学的な緊急事態のような緊急事態、又はユーザーの安全に対する脅威に起因した緊急事態を経験している場合もある。
【００４２】
コミュニケーターコントローラー３５０は、例えば、合衆国では９１１に自動的にダイヤルし、キット２０５又はモバイルコミュニケーター３７０の位置を緊急サービスプロバイダー１８０に送信するために、緊急ダイヤラー２６０及び位置送信機２７０を駆動することができる。緊急ダイヤラー２６０は、ワイヤ２７０を介して、又は無線で緊急サービスプロバイダー１８０と通信することができる。位置送信機２７０は、ワイヤ２６５を介して、又は無線で緊急サービスプロバイダー１８０と通信することができる。緊急サービスプロバイダー１８０への発信は、位置送信機２７０をトリガーすることができる。位置送信機２７０は、緊急サービスプロバイダー１８０のような、携帯電話信号プロバイダーによって起動することができ、結果として、ロケータービーコン２１３がロケーター信号を放射する。代替的には、イネーブリングシステム３６０は、あらかじめプログラミングされたコマンド及び適切に指定された電話番号、例えば、「助けて、９１１」又は「自宅へ電話、ＸＸＸ−ＸＸＸＸ」又は「緊急サービスプロバイダーに電話、９１１」又は「警察、ＸＸＸ−ＸＸＸＸ」又は「緊急、９１１」を含むことができ、それにより、イネーブリングシステム３６０は、指定された電話番号所有者と通信するために、可聴音受信及び送信機能６８０及びデータ検索及び非可聴音受信機能６８５を含む、モバイルコミュニケーター３７０の全ての機能を使用可能にすることができ、かつ位置送信機２７０をトリガーすることができ、それにより、ユーザーがコマンドをマイクロフォン２７５に話す場合には、イネーブリング回路２５０のｙｅｓ／ｎｏ論理を適用することによって、ユーザーが、条件４２０〜４８０が満たされたか否かを判断するのを不要にすることができる。そのコマンドは、音声認識システム２７３によって認識することができるユーザー識別音（複数の場合もあり）若しくは口頭によるパスワードとすることもできるし、キーパッド２４０を介してコミュニケーターコントローラー３５０に入力される書かれたコマンド又はパスワードとすることもでき、そのコマンドが、あらかじめプログラミングされるか又は記録されたコマンドと基本的に同じであるか、又は一致すると判断された場合には、イネ
ーブリング回路２５０はコミュニケーションコントローラー３５０を起動して、緊急ダイヤラー２６０及び／又は位置送信機２７０をトリガーすることを含む、モバイルコミュニケーター３７０の送信及び可聴音受信機能６８０を使用可能にすることができる。位置送信機２７０は、ワイヤ２７６を介して、又は無線でロケータービーコン２１３と通信することができる。
【００４３】
緊急サービスプロバイダー１８０に電話をかけるユーザーの音声又は識別音（複数の場合もあり）が音声認識システム２３０によって認証されたとき、コミュニケーターコントローラー３５０は、緊急ダイヤラー２６０及び位置送信機２７０も駆動することができる。音声認識システム２３０は、本明細書において説明されるユーザー識別音（複数の場合もあり）を認識することができる。モバイルコミュニケーター３７０の可聴音受信及び送信機能６８０を使用可能にするための少なくとも１つの条件を満たすには、音声認識若しくは音（複数の場合もあり）認識又はパスワード認識によって、ユーザーの音声を認証することが必要とされる場合がある。キーパッド２４０によるパスワードの入力、又は音声認識システム２３０による認識は、緊急サービスプロバイダー１８０にユーザーの識別情報を与え、ロケータービーコン２１３を使用可能にすることができる。
【００４４】
位置送信機２７０を駆動するコミュニケーターコントローラー３５０に注目すると、モバイルコミュニケーター３７０を紛失したか若しくは置き忘れた可能性があるか、又は見あたらない場合に、モバイルコミュニケーター３７０を見つけるために、ユーザーがロケータービーコン２１３を起動することが必要になる場合がある。代替的には、キット２０５又はモバイルコミュニケーター３７０を紛失したか又は盗難された可能性があるとき、ユーザーはこれを任意のサービスプロバイダー又は緊急サービスプロバイダー１８０に報告することができ、そのサービスプロバイダー又は緊急サービスプロバイダー１８０によってキット２０５又はモバイルコミュニケーター３７０に特定の信号を送信することができ、それにより、電話を取り戻すことができるように、位置送信機２７０を起動してＧＰＳ受信機２１０によって与えられる位置を送信させることができる。
【００４５】
一実施形態では、ユーザーはモバイルコミュニケーター３７０に電話をかけ、コミュニケーターコントローラー２５０に位置送信機２７０及び／又はロケータービーコン２１３をトリガーさせるように、イネーブリングシステム３６０のイネーブリング回路２５０に指示することができる。イネーブリングシステムは、ユーザーに、音声若しくは音又はパスワードによる認証を要求することができる。音声若しくは音又はパスワード認証を用いて位置送信機２７０及び／又はロケータービーコン２１３をトリガーするときに、マイクロフォン２７５からの受信と干渉するおそれがある背景雑音からの干渉がある場合には、パスワードのような、キーパッド２４０からの入力によって、位置送信機２７０及び／又はロケータービーコン２１３をトリガーすることができる。
【００４６】
市販の携帯電話のようなキット２０５又はモバイルコミュニケーター３７０にイネーブリングシステム３６０を追加することは、改善された機能を有する安価な改良とすることができ、容易に実施することができる。今日の課題は、不適切な携帯電話使用が表す安全性及びプライバシーに関する課題に対処するために、何かを行なう必要があることではなく、それを行う方法である。これらの安全性及びプライバシーの課題に対する１つの解決策は、携帯電話が安全性又はプライバシーを脅かすときはいつでも、該携帯電話を使用不能にするように要求する法律を制定することである。先行技術において開示される通信デバイスは複雑で、費用がかかる場合があり、そのため、それらの通信デバイスを用いて、これらの法律制定の目的を果たすには、一般集団に課すことになる苦難に起因して、政治的に実用的ではない。緊急時の使用に関して、及びモバイルコミュニケーター３７０を紛失したか又は盗難された可能性がある場合に許可されずに使用又は悪用されることから所有者を保護することに関して改善されていることとともに、このデバイスが低コストであ
り、かつ簡単であることが、そのような必要とされる法律制定を実現可能にする。
【００４７】
モバイルコミュニケーター３７０の使用が安全でないか、又は傍観者の個人のプライバシーへの侵害となる可能性があるとき、イネーブリングシステム３６０がデフォルト状態を有効にして、それによってモバイルコミュニケーター３７０の或る特定の機能を使用不能にすることができるように、キット２０５又はモバイルコミュニケーター３７０のイネーブリングシステム３６０を設計することができる。デフォルト状態及びその動作を有効にすることは、健康リスク、又は他のタイプの通信への侵害を引き起こす可能性がある無線又は他の信号伝送の発生を必要としない。
【００４８】
イネーブリングシステム３６０を有するキット２０５又はモバイルコミュニケーター３７０は、電話を使用不能にするために受信されることになる或るタイプのディセーブリング信号（disabling signal）に依存する携帯電話よりも優れた改良となる場合がある。そのような携帯電話は、開発された遮断システム又は他の予備手段にかけられる場合があり、ディセーブリング信号を必要とするので、結果として携帯電話が機能したままになり、そのような信号が伝わらないようにすることによって、そのような携帯電話は使用可能なままになる可能性がある。対照的に、キット２０５又はモバイルコミュニケーター３７０のイネーブリングシステム３６０は、グローバルポジショニングシステム（ＧＰＳ）信号を受信すること、又はプライバシー信号を受信することのような、或る特定の要求された条件を満たすことができない場合には、デフォルト使用不能状態を有効にすることができる。それゆえ、モバイルコミュニケーター３７０の使用可能状態を有効にするイネーブリングシステム３６０は、モバイルコミュニケーター３７０においてＧＰＳ信号又はプライバシー信号を遮断することによってデフォルト使用不能状態を有効にするので、開発された遮断システム又は他の予備手段にかけられなくてもよい。
【００４９】
イネーブリングシステム３６０の機能が信号受信を妨害することも信号受信を妨害する可能性がある条件を引き起こすことも決してない。それどころか、イネーブリングシステム３６０は、ＧＰＳ受信機２１０がＧＰＳ信号を受信するように要求する場合がある。さらに、イネーブリングシステム３６０は、モバイルコミュニケーター３７０の発呼／着呼及び／又は他の機能を使用可能にするために、音声、パスワード又は音（複数の場合もあり）も必要とする場合がある。イネーブリングシステム３６０は、ＧＰＳプロセッサ２２０及びイネーブリング回路２５０によってＧＰＳ信号が受信されない場合には、不適切であるか又は安全でないとみなされる特定の機能を使用不能にすることができる。それゆえ、モバイルコミュニケーター３７０の使用可能状態を有効にするイネーブリングシステム３６０は、モバイルコミュニケーター３７０内のマイクロフォン２７５を遮断することによってデフォルト使用不能状態を有効にすることができるので、マイクロフォン２７５を使用不能にするような遮断システム、又は他の予備手段に依存しなくてもよい。
【００５０】
今のところ、使用不能にされるセキュリティ要件を満たすことに頼るコミュニケーターを紛失すると、結果として、所有者が、上記で詳述された不正使用のリスクに晒される場合がある。本発明のモバイルコミュニケーター３７０は、利便性に、又は直ちに緊急通話をかける能力に悪影響を及ぼすことなく、そのリスクを回避することができる。
【００５１】
緊急事態の状況下で、本発明のモバイルコミュニケーター３７０は、緊急事態に起因する操作者の誤りの可能性を小さくするだけでなく、ＧＰＳ受信機２１０がモバイルコミュニケーター３７０の地理的位置を与えることができるので、緊急通話の発信場所を特定する方法も提供する。イネーブリングシステム３６０を有するキット２０５又はモバイルコミュニケーター３７０は、間違った場所に救急隊員を配置するリスクを下げることができ、また、助けを必要としている人が、身体的に行動能力を奪われているか、又は危険に晒されていることに起因して通話を開始することしかできない場合であっても、助けが必要
とされている場所に救急隊員を直ちに配置できるようにするので、イネーブリングシステム３６０を有しない携帯電話よりも大きく改良することができる。この手法は、本発明のイネーブリングシステム３６０を備えていない携帯電話よりも優れた著しい改良を提供する。ＧＰＳ信号又は非可聴音（複数の場合もあり）の欠如に起因して、キット２０５又はモバイルコミュニケーター３７０がデフォルト使用不能状態４１０のままになることは決してない。緊急事態の状況下で、キット２０５又はモバイルコミュニケーター３７０は、本発明のイネーブリングシステム３６０を備えない携帯電話で起こり得るような、漂遊信号が生じる心配がない、又はキット２０５又はモバイルコミュニケーター３７０が意図せずに使用不能になることのない、可聴音受信及び送信機能６８０を有することができる。緊急事態の状況下で、時間が最も重要である場合に、ボタンを押下しようと試みる必要がないので、結果として時間の節約になるだけでなく、パニックに起因する間違いもなくなるであろう。
【００５２】
図２は、キット２０５、モバイルコミュニケーター３７０又は類似の通信デバイスを使用可能にするために、イネーブリングシステム３６０を用いてモバイルコミュニケーター３７０を使用可能にするための方法４００の実施形態を示す。方法４００のステップ６５０において、ＧＰＳ信号がＧＰＳ受信機２１０によって受信されたという通知を、接続ワイヤ２４７を介して、又は無線でイネーブリング回路２５０に送信することができ、ＧＰＳプロセッサ２２０は、ＧＰＳ信号を、接続ワイヤ２００を介して、又は無線でＧＰＳ信号増幅器１９０から受信している場合がある。代替的には、ＧＰＳ信号増幅器１９０によってＧＰＳ信号が受信されたという通知は、ＧＰＳ信号増幅器１９０によって、ワイヤ２４３を介して、又は無線でイネーブリング回路２５０に送信することもできる。ＧＰＳプロセッサ２２０からのＧＰＳ信号は、デジタル又はアナログとすることができる。方法４００のステップ６５０において、ＧＰＳ信号の受信は、キット２０５又はモバイルコミュニケーター３７０を使用可能にするための少なくとも１つの条件４２０とすることができ、イネーブリングシステム３６０によって、緊急サービスプロバイダー１８０への発信はいつでも可能にされる。イネーブリング回路２５０は、イネーブリング回路２５０内の電気回路を完成するコンタクトクロージャを与えることによって、キット２０５又はモバイルコミュニケーター３７０から緊急サービスプロバイダー１８０への通話を使用可能にすることができ、その電気回路によって、ＧＰＳ信号が受信されたことを、ワイヤ２２５を介して、又は無線でコミュニケーターコントローラー３５０に通知することができる。コミュニケーターコントローラー３５０は、緊急ダイヤラー２６０を使用可能にし、緊急サービスプロバイダー１８０に電話をかけることができる。
【００５３】
方法４００のステップ６６０において、少なくとも１つの条件、例えば、緊急事態が生じているという条件が満たされた場合には、ユーザーはキット２０５又はモバイルコミュニケーター３７０上のスタートスイッチ２０３を起動することができ、それにより、緊急サービスプロバイダー１８０、及び／又はキット２０５若しくはモバイルコミュニケーター３７０の位置送信機２７０への通話を使用可能にすることができる。ステップ６６０において、キット２０５又はモバイルコミュニケーター３７０のイネーブリングシステム３６０のイネーブリング回路２５０のロジックが、「緊急事態が生じているか？」を尋ねる（４３０）。緊急条件４３０が満たされている、例えば、ユーザーがマイクロフォン２７５に、「助けて」のような単語又はコマンドを話すか、又はキーパッド２４０を介してメッセージ「緊急」を入力した場合には、そのような単語若しくはコマンド又は入力は、緊急事態が生じているという少なくとも１つの条件、すなわち、方法４００のステップ５９０の場合のように少なくとも１つの条件を満たすので、ユーザーは、キット２０５又はモバイルコミュニケーター３７０の状態を、ステップ６６０「開始」の場合のような初期デフォルト使用不能状態４１０から、９１１使用可能及びロケータートリガー状態４５０（911 Enabled & Locator Triggered state）に変更可能とすることができる。これ以降、あらかじめプログラミングされた単語、例えば、「助けて」、若しくはフレーズ、例えば
、「緊急事態が生じている」若しくは「助けがほしい」をユーザーがマイクロフォン２７５に叫ぶこと若しくは話すこと、又はあらかじめプログラミングされた単語若しくはフレーズを、キーパッド２４０を介してコミュニケーターコントローラー３７０に入力することは、緊急事態が生じていることを意味することができ、緊急事態が生じているという条件を満たす。ステップ５９０において、イネーブリング回路２５０は、電気回路を完成するコンタクトクロージャを与えることができ、その電気回路によって、イネーブリング回路２５０は、緊急事態が生じていることを、ワイヤ２２５を介して、又は無線でコミュニケーターコントローラー３５０に通知する。その後、コミュニケーターコントローラー３５０は、緊急ダイヤラー２６０をトリガーして９１１を呼び出し、位置送信機２７０をトリガーしてロケータービーコン２１３（Locator Beacon）をトリガーすることができる。
【００５４】
以下に説明される方法４００、４５０及び４６５において、スタートスイッチ２０３は、コンタクトクロージャとすることができ、ワイヤ２０１を介して、又は無線でコミュニケーターコントローラー３５０にコンタクトクロージャを与え、コミュニケーターコントローラー３５０と、ワイヤ２２５若しくは無線によるイネーブリング回路２５０、ワイヤ２３５若しくは無線による緊急ダイヤラー２６０、又はワイヤ２５５若しくは無線による位置送信機２７０のような、イネーブリングシステム３６０の少なくとも１つの他の構成要素とを含むことができる電気回路を完成する。電気回路を完成することによって、特定の条件４２０、４３０、４４０、４５０、４６０及び４８０（４２０〜４８０）を満たすことができるのに応じて、コミュニケーターコントローラー３５０はキット２０５又はモバイルコミュニケーター３７０の状態をデフォルト使用不能状態４１０から使用可能状態５１０に変更することを可能にすることができ、かつキット２０５又はモバイルコミュニケーター３７０の受信機能又は送信機能を駆動することを可能にすることができる。モバイルコミュニケーター３７０のための条件４２０〜４８０が満たされたことを、４９５、５１５、５２５、５７０、５７５、５８０、５９０、６００、７０７、７７５、７９０、７９５、７９７、８０７、８７５、８９５及び８９７の場合のように、イネーブリングシステム３６０のイネーブリング回路２５０内に含まれるロジックによって、「Yes」、すなわち、条件が満たされたとして、周期的に確認することができる。代替的には、モバイルコミュニケーター３７０のための条件４２０〜４８０を満たさないことを、４９０、５００、５１０、５２０、５３０、７００、７３０、７９０、８００、８３０及び８９０の場合のように、イネーブリングシステム３６０のイネーブリング回路２５０内に含まれるロジックによって、「No」、すなわち、条件が満たされなかったとして、周期的に確認することができる。質問に対する応答４９５、５１５、５２５、５７０、５７５、５８０、５９０、６００、７０７、７７５、７９０、７９５、７９７、８０７、８７５、８９５及び８９７、並びに４９０、５００、５１０、５２０、５３０、７００、７３０、７９０、８００、８３０及び８９０は、イネーブリング回路２５０によって、接続ワイヤ２２５を介して、又は無線でコミュニケーターコントローラー３５０に周期的に与えることができる。これ以降、イネーブリング回路２５０が、質問に対する応答４９５、５１５、５２５、５７０、５７５、５８０、５９０、６００、７０７、７７５、７９０、７９５、７９７、８０７、８７５、８９５及び８９７、並びに４９０、５００、５１０、５２０、５３０、７００、７３０、７９０、８００、８３０及び８９０にたどり着くプロセスは、イネーブリング回路ロジックである。イネーブリング回路ロジックの一例は、以下の方法４００、４５０及び４６５の実施形態の場合のように、モバイルコミュニケーター３７０のための条件４２０〜４８０が存在することを周期的に確認することである。これ以降、「周期的に」は、「所定の頻度において」を意味する。以下の方法４００、４５０及び４６５の実施形態では、���件４２０〜４８０を問い合わせる質問に対する応答が「Yes」である場合には、ステップ４９５、５１５、５２５、５７０、５７５、５８０、５９０、６００、７０７、７７５、７９０、７９５、７９７、８０７、８７５、８９５及び８９７の場合のように、モバイルコミュニケーター３７０の状態は使用可能状態５１０になることができる。代替的には、条件４２０〜４８０を問い合わせる質問に対する応答が「No」である場
合には、ステップ４９０、５００、５１０、５２０、５３０、７００、７３０、７９０、８００、８３０及び８９０の場合のように、モバイルコミュニケーター３７０はデフォルト使用不能状態４１０になることができる。条件４２０〜４８０が満たされたことを周期的に問い合わせることによって、その期間の時間の長さに応じて、モバイルコミュニケーター３７０は、状態５１０と４１０とを交互に繰り返すことができるようになる。方法４００、４５０及び４６５の実施形態において、イネーブリング回路２５０は、約１秒から約１分の周期で、条件４２０〜４８０が満たされたことを周期的に問い合わせることができる。方法４００、４５０及び４６５において、イネーブリング回路２５０は、約０．０１秒から約０．１分の周期で、条件４２０〜４８０が満たされたことを周期的に問い合わせることができる。方法４００、４５０及び４６５において、イネーブリング回路２５０は、約０．００１秒から約０．０１分の周期で、条件４２０〜４８０が満たされたことを周期的に問い合わせることができる。
【００５５】
方法４００において、方法４００のステップ５００の場合のように、緊急事態が生じていないことを確認できた場合には、キット２０５又はモバイルコミュニケーター３７０を初期デフォルト使用不能状態４１０から使用可能状態５１０に変更することは、条件４２０、すなわち、「ＧＰＳ信号が受信されたか？」という条件によることができる。これ以降、モバイルコミュニケーター３７０の送信及び可聴音受信機能６８０を使用可能にすることは、モバイルコミュニケーター３７０をデフォルト使用不能状態から使用可能状態に変更することと同じである。方法４００のステップ６５０において、ＧＰＳ信号増幅器１９０によってＧＰＳ信号が受信された。ステップ６５０において、ＧＰＳプロセッサ２２０がＧＰＳ信号増幅器１９０からＧＰＳ信号を受信する場合には、ＧＰＳ受信機２１０は、そのＧＰＳ信号、又は処理済の信号をイネーブリング回路２５０に与えることができる。イネーブリング回路２５０は、電気回路を完成するコンタクトクロージャを与えることができ、その電気回路によって、イネーブリング回路２５０は、ＧＰＳ信号がイネーブリング回路２５０に与えられたことを、ワイヤ２２５を介して、又は無線でコミュニケーターコントローラー３５０に通知する。方法４００のステップ６６０の場合のように、ＧＰＳ受信機２１０によってＧＰＳ信号を受信すること、及び／又はモバイルコミュニケーター３７０のコミュニケーターコントローラー２５０によってＧＰＳ信号が受信されたという通知は、キット２０５又はモバイルコミュニケーター３７０を使用可能にするための少なくとも１つの条件とすることができ、コミュニケーターコントローラー３５０によって、緊急ダイヤラー２６０から緊急サービスプロバイダー１８０への発信はいつでも可能にされる。これ以降、この検討においてモバイルコミュニケーター３７０、移動電話、携帯電話又は移動通信デバイスを参照することは、或る特定の使用可能条件下にある携帯電話及び／又は移動通信デバイスの包括的な意味を指すことを意図しており、少なくとも１つの上記の条件４２０〜４８０が満たされない限り、モバイルコミュニケーター３７０は使用不能状態４１０にデフォルト設定することができ、コミュニケーターコントローラー３５０によって、緊急ダイヤラー２６０から緊急サービスプロバイダー１８０への発信、及び／又は位置送信機２７０からの発信はいつでも可能にされる。
【００５６】
方法４００のステップ４９５において、キット２０５又はモバイルコミュニケーター３７０のイネーブリングシステム３６０が、条件４２０を満たすことができる、すなわち、ＧＰＳ信号が受信されており、かつ／又はコミュニケーターコントローラー３５０が、イネーブリング回路２５０によってＧＰＳ信号が受信されたことを通知されていると判断する場合には、イネーブリングシステム３６０は、方法４００のステップ４９５の場合のように、キット２０５又はモバイルコミュニケーター３７０の使用可能状態５１０を有効にすることができる。
【００５７】
代替的には、方法４００のステップ４９０において、キット２０５又はモバイルコミュニケーター３７０のイネーブリング回路２５０が、逆に、条件４２０が満たされなかった
、すなわち、イネーブリング回路２５０によってＧＰＳ信号が受信されなかった、かつ／又はコミュニケーターコントローラー３５０が、イネーブリング回路２５０によってＧＰＳ信号が受信されたことを通知されなかったと判断する場合には、イネーブリングシステム３６０は、方法４００のステップ４９０の場合のように、モバイルコミュニケーター３７０のデフォルト使用不能状態４１０に有効にすることができる。
【００５８】
図３は図２の続きであり、方法４００の実施形態を示す。イネーブリングシステム３６０が、図２に示され、本明細書の関連する本文において説明されるような、方法４００のステップ５００の場合のように、緊急事態が生じていないことを、かつステップ６００において、ＧＰＳ信号が受信されたことを確認した場合には、ステップ４９５の場合のように、モバイルコミュニケーター３７０を使用可能にする代わりに、イネーブリングシステム３６０は、条件４４０、すなわち、モバイルコミュニケーター３７０の速度ｓｆ，ｉ、モバイルコミュニケーター３７０の平均速度ｓａｖｇ、又はモバイルコミュニケーター３７０の正規化された速度ｎｓが設定値速度以下（「≦」）にできるように要求することができる。これ以降、「キット２０５又はモバイルコミュニケーター３７０の速度」は、キット２０５若しくはモバイルコミュニケーター３７０の速度ｓｆ，ｉ、キット２０５若しくはモバイルコミュニケーター３７０の平均速度ｓａｖｇ、又はキット２０５若しくはモバイルコミュニケーター３７０の正規化された速度ｎｓからなる群から選択された各速度を指している。
【００５９】
レーザードップラー非接触速度及び長さゲージ（Proton Products社, 10 Aylesbury End, Beaconsfield, Bucks. HP9LW1, England）のような、動き検出器２２８が、モバイルコミュニケーター３７０が移動中であり得るか否かを判断することができる。光レーダーシステムは通常、Ｋバンドにおいて２４．１５ＧＨｚで動作する。動き検出器２２８は、車両の速度を求めるために通常用いられる任意の適切な速度計を用いて、キット２０５又はモバイルコミュニケーター３７０が使用される車両の速度を測定することができる。速度計からの出力は、機械的信号、電気的信号を介して、導管による液圧又は空気圧手段を介して、又はワイヤ２７２を介して、若しくは無線で、車両の速度計２７９によって動き検出器２２８に与えることができる。
【００６０】
Ingram Technologies, LLC, Rt2, Box2169, 6721 West, 4000 South Roosevelt, Utah 84066から市販される、速度、距離及び方向を測定するためのＩＲパルス式レーザーダイオードが、旧式の光レーダーシステムに代わる新世代の後継手段である。１度未満のビーム幅を用いることによって、旧式のレーダーシステムでは達成することができない正確度が達成される。ビームが車線を横切るとき、一度に１つの車両のみを目標とすることができ、誤って読み取る可能性を最小限に抑えることができる。１組の距離内の車両のみが読み取られることになるように、ビームを「ゲート制御する」こともできる。ＩＲパルス式レーザーダイオードの他の特徴は、所望により、一方向にのみ進行する車両をシステムによって捕捉できることである。
【００６１】
キット２０５又はモバイルコミュニケーター３７０の速度ｓｆ，ｉは、他の装置によって使用するためのデジタル速度パルス出力を与えるように設計された、ＧＰＳＴｒａｎ（5 Little Balmer, Buckingham industrial Park, Buckingham MK18 1TF, United Kingdomから市販される）のような、ＧＰＳプロセッサ２２０によって求めることができる。ＧＰＳ衛星を用いて速度を測定するので、ＧＰＳＴｒａｎは、通常の速度検知方法が機能しない数多くの応用形態において使用するのに適している。パルス出力の更新速度は５Ｈｚであり、精度は±０．１ｋｍｈである。パルス／メートル設定は、大部分の応用形態に適合するように構成することができる。
【００６２】
ＧＰＳプロセッサ２２０は、初期時刻ｔｉ及び最終時刻ｔｆのＧＰＳプロセッサ２２０
の初期の地理的位置ｐｉ及び最終の地理的位置ｐｆを与えることができ、初期時刻ｔｉと最終時刻ｔｆとの間の差（ｔｉ−ｔｆ）は時間間隔ｘｆ，ｉを表す。ただし、ｘｆ，ｉは任意の正の整数とすることができる。代替的には、時間間隔ｘｆ，ｉは、約１ミリ秒から約１×１０３ミリ秒とすることができる。代替的には、時間間隔ｘｆ，ｉは、約１マイクロ秒から約１×１０６マイクロ秒とすることができる。代替的には、時間間隔ｘｆ，ｉは、約１ナノ秒から約１×１０９ナノ秒とすることができる。時間間隔ｘｆ，ｉは、約１分から約５分とすることができ、ＧＰＳプロセッサ２２０の初期の地理的位置ｐｉとＧＰＳプロセッサ２２０の最終の地理的位置ｐｆと間の差は、約０．０１６マイルから約２．５マイルとすることができる。モバイルコミュニケーター３７０の速度ｓｆ，ｉは、以下のように、式１によって表すことができる。
【数１】
2013514043.tif 000003
【００６３】
時間間隔ｘｊ（ただし、ｊ＝１、２、３、．．．ｊ）にわたるモバイルコミュニケーター３７０の平均速度ｓａｖｇはＧＰＳプロセッサ２２０によって求めることができ、ＧＰＳプロセッサ２２０は、時間間隔ｘｊごとのＧＰＳプロセッサ２２０の初期の地理的位置ｐｉ及び最終の地理的位置ｐｆ、並びに時間間隔ｘｊごとの初期時刻ｔｉ及び最終時刻ｔｆを与えることができ、時間間隔ｘｊごとの、初期時刻ｔｉ及び最終時刻ｔｆごとの差の和Σ（ｔｆ−ｔｉ）ｊは時間間隔の和Σｘｊとして表すことができる。初期の地理的位置ｐｉと最終の地理的位置ｐｆとの間の差の和Σ（ｐｆ−ｐｉ）ｋ（ただし、ｋ＝１，２，３．．．ｋ）は、キット２０５又はモバイルコミュニケーター３７０が各時間間隔ｘｊにおいて進行することができた全距離を表すことができる。モバイルコミュニケーター３７０の平均速度ｓａｖｇは、以下のように、式２によって表すことができる。
【数２】
2013514043.tif 000004
【００６４】
時間間隔ｘｍ（ただし、ｍ＝１，２，．．．ｍ）ごとのモバイルコミュニケーター３７０の正規化された速度ｎｓは、ＧＰＳプロセッサ２２０によって求められ、ＧＰＳプロセッサ２２０は、モバイルコミュニケーター３７０の初期速度ｓｉ、初期速度ｓｉにおける時間の割合、モバイルコミュニケーター３７０の最終速度ｓｆ、及び最終速度ｓｆにおける時間の割合を与えることができる。時間ｔｓｉは、速度ｓｉにおける時間とすることができ、時間ｔｓｆは、速度ｓｆにおける時間とすることができる。それゆえ、初期速度ｓｉにおける時間の割合はｔｓｉ／（ｔｓｉ＋ｔｓｆ）として表すことができる。同様に、第２の速度ｓｆにおける時間の割合はｔｓｆ／（ｔｓｉ＋ｔｓｆ）として表すことができる。ＧＰＳプロセッサ２２０は、以下の式３の場合のように、モバイルコミュニケーター３７０の正規化された速度ｎｓを計算することができる。
【数３】
2013514043.tif 000005
【００６５】
イネーブリング回路２５０のロジックは、電気回路を完成するコンタクトクロージャを与えることができ、その電気回路によって、動き検出器２２８がワイヤ２７２を介して、又は無線で速度計２７９からキット２０５又はモバイルコミュニケーター３７０の速度を受信したことに基づいて、動き検出器２２８が、キット２０５又はモバイルコミュニケーター３７０の速度が≦設定値速度であるという確認を、ワイヤ２２９を介して、又は無線でイネーブリング回路２５０に与えたことを、イネーブリング回路２５０はワイヤ２２５を介して、又は無線でコミュニケーターコントローラー３５０に通知する。電気回路の上
記完成、及びキット２０５又はモバイルコミュニケーター３７０の速度が≦設定値速度であるという確認を、ワイヤ２２３を介して、又は無線でイネーブリング回路２５０に与えたことは、キット２０５又はモバイルコミュニケーター３７０のイネーブリングシステム３６０を使用可能にするための少なくとも１つの条件とすることができ、コミュニケーターコントローラー３５０によって、緊急ダイヤラー２６０から緊急サービスプロバイダー１８０への発信をいつでも可能にすることができる。
【００６６】
方法４００のステップ５１５において、キット２０５又はモバイルコミュニケーター３７０のイネーブリングシステム３６０が、条件４４０を満たすことができる、すなわち、モバイルコミュニケーター３７０の速度を≦設定値速度とすることができると判断する場合には、方法４００のステップ５１５の場合のように、イネーブリングシステム３６０は、モバイルコミュニケーター３７０の使用可能状態５１０を有効にすることができる。
【００６７】
代替的には、方法４００のステップ５１０において、キット２０５又はモバイルコミュニケーター３７０のイネーブリングシステム３６０が、逆に、条件４４０を満たすことができない、すなわち、モバイルコミュニケーター３７０の速度が≦設定値速度でないと判断する場合には、方法４００のステップ５１０の場合のように、イネーブリングシステム３６０は、モバイルコミュニケーター３７０のデフォルト使用不能状態４１０を有効にすることができる。
【００６８】
図４は、図３の続きであり、方法４００の実施形態を示す。イネーブリングシステム３６０が、図２に示され、本明細書において関連する本文において説明されるような、方法４００のステップ５００の場合のように、緊急事態が生じていないこと、かつステップ５８０において、ＧＰＳ信号が受信されたことを確認した場合には、ステップ５１５の場合のように、モバイルコミュニケーター３７０を使用可能にする代わりに、イネーブリングシステム３６０は、条件４６０を、すなわち、キット２０５又はモバイルコミュニケーター３７０のユーザーが許可されることを要求することができる。ステップ５８０において、音声認識システム２３０は、マイクロフォン２７５から、ユーザーの識別音声又は識別周波数若しくは識別音（これ以降、ユーザー識別音（複数の場合もあり））のような、ユーザー識別音（複数の場合もあり）を受信する。ユーザー識別音（複数の場合もあり）があらかじめプログラミングされた音声又はあらかじめプログラミングされた周波数と一致するか、又は同じ周波数を有する場合には、音声認識システム２３０は、イネーブリング回路２５０に音声認識の確認を与えることができる。あらかじめプログラミングされたユーザー識別音（複数の場合もあり）は、人間が聞き取ることができるか、又は聞き取ることができない周波数範囲内にあることができる。例えば、犬笛は、人間が聞き取ることができない場合がある音（複数の場合もあり）を発することができる。人間には、１３０ｄｂ（非常に大きな音）では、約２０サイクル／ｓｅｃから２０，０００サイクル／ｓｅｃの周波数が聞こえる。０ｄｂ（非常に小さな音）では、この範囲は、約７００サイクル／ｓｅｃから６０００サイクル／ｓｅｃの範囲に減少する。
【００６９】
代替的には、ユーザー識別音（複数の場合もあり）は、設定された周波数において自然に共振する音叉からの音、又は人間が聞き取ることができる場合がある、標準的なピアノ上の中央ハと同じであるＣメジャーのキーにおける符号Ｃのような、１組の周波数、すなわち、音（複数の場合もあり）とすることができる。
【００７０】
イネーブリング回路２５０のロジックは、電気回路を完成するコンタクトクロージャを与えることができ、その電気回路によって、音声認識システム２３０が音声認識の確認を、ワイヤ２２３を介して、又は無線でイネーブリング回路２５０に与えたことを、イネーブリング回路２５０はワイヤ２２５を介して、又は無線でコミュニケーターコントローラー３５０に通知する。電気回路の上記完成、及び音声認識の確認を、ワイヤ２２３を介し
て、又は無線でイネーブリング回路２５０に与えたことは、キット２０５又はモバイルコミュニケーター３７０のイネーブリングシステム３６０を使用可能にするための少なくとも１つの条件とすることができ、コミュニケーターコントローラー３５０によって、緊急ダイヤラー２６０から緊急サービスプロバイダー１８０への発信をいつでも可能にすることができる。
【００７１】
方法４００のステップ５２５において、キット２０５又はモバイルコミュニケーター３７０のイネーブリングシステム３６０が、条件４６０を満たすことができる、すなわち、ユーザーが許可されたと判断する場合には、方法４００のステップ５２５の場合のように、イネーブリングシステム３６０は、モバイルコミュニケーター３７０の使用可能状態５１０を有効にすることができる。
【００７２】
代替的には、方法４００のステップ５２０において、キット２０５又はモバイルコミュニケーター３７０のイネーブリングシステム３６０が、逆に、条件４６０を満たすことができない、すなわち、ユーザーが許可されなかったと判断する場合には、方法４００のステップ５２０の場合のように、イネーブリングシステム３６０は、モバイルコミュニケーター３７０のデフォルト使用不能状態４１０を有効にすることができる。
【００７３】
図５は、キット２０５、モバイルコミュニケーター３７０又は類似の通信デバイスを使用可能にするために、イネーブリングシステム３６０を用いてモバイルコミュニケーター３７０を使用可能にするための方法４００の実施形態を示す。イネーブリングシステム３６０が、図２に示され、本明細書において関連する本文において説明されるような、方法４００のステップ５００の場合のように、緊急事態が生じていないこと、かつステップ５７０において、ＧＰＳ信号が受信されたことを確認した場合には、ステップ５２５の場合のように、モバイルコミュニケーター３７０を使用可能にする代わりに、イネーブリングシステム３６０は、条件４８０、すなわち、「プライバシー信号が受信されなかった」という条件が満たされることを要求することができ、それにより、イネーブリング回路２５０はコミュニケーターコントローラー３５０と通信して、可聴音受信及び送信機能６８０を駆動することができ、それにより、キット２０５又はモバイルコミュニケーター３７０の使用可能状態５１０を有効にすることができる。
【００７４】
ステップ５７０において、プライバシー受信機システム２７３がプライバシー信号発生器２７１からプライバシー信号を受信する場合には、プライバシー受信機システム２７３は、イネーブリング回路２５０にプライバシー信号又は処理済の信号を与えることができる。ステップ５７０において、イネーブリングシステム３６０は、プライバシー信号を受信する場合も、受信しない場合もある。イネーブリング回路２５０のロジックは、ステップ５７５の場合のように、条件４８０、すなわち、「プライバシー信号が受信されなかった」という条件が満たされたか、又はステップ５３０の場合のように、満たされていないかを判断することができる。ステップ５３０の場合のように、条件４８０が満たされなかった、すなわち、プライバシー信号が受信された場合、例えば、プライバシー信号が望ましいか、又は例えば、企業秘密の著作権侵害が阻止されるべきであるときには、イネーブリング回路２５０は、条件４８０が満たされなかったことをコミュニケーターコントローラー３５０に通信する。代替的には、条件４８０が満たされた、すなわち、ステップ５７５の場合のように、プライバシー信号受信システム２７３によってプライバシー信号が検出されなかった可能性がある場合には、コミュニケーターコントローラー３５０は使用可能状態５１０を有効にすることができ、電話が使用可能になる。
【００７５】
プライバシー信号条件４８０を無効にするか、又は回避する目的は、電話をかけることとすることができる。条件４８０を満たすこと、すなわち、プライバシー信号が受信されなかったことを条件として、キット２０５又はモバイルコミュニケーター３７０の使用可
能状態５１０を有効にすることができる実施形態は、有効にするためにプライバシー信号を要求する携帯電話よりも優れた改良形態とすることができる。なぜなら、キット２０５又はモバイルコミュニケーター３７０の使用可能状態５１０を有効にするために、プライバシー信号を不要にすることができるためである。条件４８０を満たすこと、すなわち、プライバシー信号が受信されなかったことを、キット２０５又はモバイルコミュニケーター３７０を使用可能にするための条件とすることは、使用可能にするためにプライバシー信号を必要とする携帯電話よりも優れた改良形態とすることができる。なぜなら、ユーザーが電話をかけるために、ユーザーの音声及びプライバシー信号がいずれもマイクロフォン２７５によって受信される場合があるので、キット２０５又はモバイルコミュニケーター３７０を使用不能にするプライバシー信号を遮断しようとするユーザーはマイクロフォン２７５も遮断しなければならなくなり、それゆえ、電話をかける能力を無効にしなければならないためである。
【００７６】
有効にされたデフォルト使用不能状態４１０では、図２に示され、本明細書において関連する本文において説明されるような、方法４００のステップ６６０においてスタートスイッチ２０３が起動された場合であっても、キット２０５又はモバイルコミュニケーター３７０の受信又は送信機能は使用不能のままとすることができる。ワイヤ２６８を通して、又はプライバシー信号発生器２７８のアンテナ２７４から無線によって行なう代わりに、マイクロフォン２７５を通してプライバシー信号を受信することを、キット２０５又はモバイルコミュニケーター３７０を使用不能にすることの条件とすることによって、プライバシー及び著作権侵害（企業秘密又は機密情報の窃盗）問題の大部分を避けることができる。なぜなら、キット２０５又はモバイルコミュニケーター３７０のイネーブリングシステム３６０がプライバシー信号を受信しない場合を除いて、キット２０５又はモバイルコミュニケーター３７０の可聴音受信及び送信機能６８０をデフォルト使用不能状態４１０のままにすることができるためである。代替的には、キット２０５又はモバイルコミュニケーター３７０を屋内で使用中に、プライバシー及び著作権侵害の事象は回避することができる。なぜなら、ＧＰＳ衛星のようなＧＰＳ信号の発信源に対する見通し線が屋内で遮断されることに起因して、ＧＰＳ信号を利用できない場合もあるためである。キット２０５又はモバイルコミュニケーター３７０のイネーブリングシステム３６０を使用可能にするための少なくとも１つの条件、すなわちＧＰＳ信号を受信することが満たされていないので、キット２０５及びモバイルコミュニケーター３７０の送信及び受信機能は使用不能のままにすることができる（may）が、コミュニケーターコントローラー３５０によって、緊急ダイヤラー２６０から緊急サービスプロバイダー１８０への発信をいつでも可能にすることができる。屋内で使用中に、ＧＰＳ受信機２１０によってＧＰＳ信号が受信されなかった場合には、方法４００のステップ４９０の場合のように、キット２０５又はモバイルコミュニケーター３７０のデフォルト使用不能状態４１０を有効にすることができる。起こりそうもない状況ではあるが、建物内でＧＰＳ信号が利用可能であり（ＧＰＳは通常、機能するのに見通し線を必要とする）、かつ所有者／居住者がこのエリアにおいて電話を使用不能にしたい状況では、ＧＰＳ信号のないエリアを生み出すことができるようにする、広範囲の安価で、容易に入手可能な遮断デバイスを設置することによって、これを果たすことができる。例えば、Quiet Cell Technologies Inc.（57 Waterford Drive, Ottawa ON K2E 7V4: CANADA）から市販されるＣｅｌｌ−Ｂｌｏｃｋ−Ｒ  Ｃｏｎｔｒｏｌ  Ｕｎｉｔは、一種のおとりのセルラータワーとしての役割を果たすことができる。使用を禁止することができない場合には、Ｃｅｌｌ−Ｂｌｏｃｋ−Ｒ  Ｃｏｎｔｒｏｌ  Ｕｎｉｔは、おとりの通信信号を供給することによって、正規の携帯電話サービスプロバイダーからキット２０５又はモバイルコミュニケーター３７０を取り除くことができる。いずれの着信もボイスメールを指すことができる。
【００７７】
キット２０５又はモバイルコミュニケーター３７０を使用するための方法４００において、イネーブリング回路２５０のロジックは、イネーブリング回路２５０がマイクロフォ
ン２７５を介してプライバシー信号受信機２７３からプライバシー信号又は処理済のプライバシー信号を受信しないことを、使用可能状態５１０を有効にすることの条件とすることができる。イネーブリング回路２５０がマイクロフォン２７５を介してプライバシー信号受信機２７３からプライバシー信号又は処理済のプライバシー信号を受信しないことを、使用可能状態５１０を有効にすることの条件とすることは、キット２０５又はモバイルコミュニケーター３７０の使用が、独り静かな環境を楽しむ乗客を邪魔する可能性がある場合には、又は企業秘密、機密若しくは専有情報が不適切に開示される可能性がある場合には、車、トラック、列車、バス等の地上の乗用車若しくは運搬手段において、又は航空機においてモバイルコミュニケーター３７０の大部分の使用を防ぐことにもなる。なぜなら、そのような車両又は運搬手段においてモバイルコミュニケーター３７０を使用することが不適切である可能性があるときに、プライバシー信号を与えることができるためである。キット２０５又はモバイルコミュニケーター３７０が屋内で使用されるのを防ぐことが望まれており、かつキット２０５又はモバイルコミュニケーター３７０が、例えば、ＧＰＳ衛星からのＧＰＳ信号の見通し線内に存在するアンテナ２７１からＧＰＳ信号を受信しているとき、方法４００のステップ５３０の場合のように、キット２０５又はモバイルコミュニケーター３７０のデフォルト使用不能状態４１０を屋内で有効にするために、プライバシー信号発生器２７８は、プライバシー受信機システム２７３にプライバシー信号を与えることができる。ＧＰＳアンテナ２７１がＧＰＳ衛星からのＧＰＳ信号の見通し線内に存在しない場合がある屋内又は他の応用形態において、ＧＰＳ信号を高めるための任意の適切なシステムを用いて、ＧＰＳ受信機２１０にＧＰＳ信号を与えることができる。
【００７８】
キット２０５又はモバイルコミュニケーター３７０を使用するための方法４００において、イネーブリング回路２５０のロジックは、電気回路を完成するコンタクトクロージャを与えることができ、その電気回路によって、イネーブリング回路２５０が、プライバシー信号又は処理済のプライバシー信号を、ワイヤ２４１を介して、又は無線でプライバシー受信機システム２７３から受信していない場合があることを、イネーブリング回路２５０は、ワイヤ２２５を介して、又は無線でコミュニケーターコントローラー３５０に通知する。電気回路の上記完成、及びコミュニケーターコントローラー３５０への通知の確認をイネーブリング回路２５０によってワイヤ２２５を介して、又は無線で与えたことは、キット２０５又はモバイルコミュニケーター３７０を使用可能にするための少なくとも１つの条件とすることができ、コミュニケーターコントローラー３５０によって、緊急ダイヤラー２６０から緊急サービスプロバイダー１８０への発信をいつでも可能にすることができる。
【００７９】
キット２０５又はモバイルコミュニケーター３７０のイネーブリングシステム３６０は、ディセーブリング信号を受信することによって使用不能にすることができるモバイルコミュニケーターよりも優れた改良形態とすることができることが詳述されてきた。なぜなら、そのようなデバイスのディセーブリング信号は、遮断若しくは妨害される場合があるか、又は失敗するおそれがあり、ディセーブリング信号が受信されないときに使用可能状態がデフォルト状態であるので、モバイルコミュニケーターが使用可能状態のままになるためである。逆に、イネーブリングシステム３６０は改良形態とすることができる。なぜなら、図２に示され、上記の関連する本文において説明されるような、方法４００のステップ４９０の場合のように、ＧＰＳ信号増幅器１９０がＧＰＳ信号を受信しない場合には、キット２０５又はモバイルコミュニケーター３７０を使用不能にすることができるので、モバイルコミュニケーター３７０のデフォルト状態をデフォルト使用不能状態４１０とすることができるためである。
【００８０】
ＧＰＳ信号は任意の標準的なＧＰＳ信号とすることができる。ＧＰＳ衛星は、Ｌ１及びＬ２で指定される、２つの低電力無線信号を送信する。民間ＧＰＳは、ＵＨＦ帯内の１５７５．４２ＭＨｚのＬ１周波数を使用する。それらの信号は見通し線に沿って進行し、そ
のことは、それらの信号が雲、ガラス及びプラスチックは通り抜けるが、建物及び山のような大部分の固体を通り抜けないことを意味する。ステップ６５０において、イネーブリングシステム３６０は、ＧＰＳ信号を受信する場合も、受信しない場合もある。イネーブリング回路２５０のロジックは、ステップ４９５の場合のように、条件４２０、すなわち、「ＧＰＳ信号が受信された」という条件が満たされたか、又はステップ４９０の場合のように、満たされないかを判断することができる。ＧＰＳ信号が利用できない（通常、屋内又は大部分の車両内）場合には、イネーブリング回路２５０は、条件４２０が満たされたことをコミュニケーターコントローラー３５０に通信する。ステップ４９０の場合のように、ＧＰＳ信号が検出されない場合には、コミュニケーターコントローラー３５０は、デフォルト使用不能状態４１０を有効にすることができ、モバイルコミュニケーター３７０は使用不能のままである。この実施形態は、何らかの（故意の、又は故意でない）理由で、ステップ６５０においてＧＰＳ信号を利用できない場合には、モバイルコミュニケーター３７０がそのデフォルト使用不能状態４１０のままであるという点で、イネーブリングシステム３６０を有しない携帯電話よりも優れた改良形態である。
【００８１】
プライバシー及び著作権侵害の問題が大抵の場合に、ＧＰＳ信号を通常利用できない、モバイルコミュニケーター３７０の屋内使用時に生じるので、イネーブリングシステム３６０を有しない携帯電話の場合のように、ディセーブリング信号を受信することを使用不能の条件とする代わりに、ＧＰＳ信号を受信することを、モバイルコミュニケーター３７０を使用可能にすることの条件とすることによって、プライバシー及び著作権侵害（企業秘密又は機密情報の窃盗）問題の大部分を避けることができる。起こりそうもない状況ではあるが、建物内でＧＰＳ信号が利用可能であり（ＧＰＳは通常、機能するのに見通し線を必要とする）、かつ所有者／居住者がこのエリアにおいて電話を使用不能にしたい状況で、これは、プライバシーエリアを生み出すことができるようにする、広範囲の安価で、容易に入手可能な遮断機器を設置することによって果たすことができる。ＧＰＳ信号は、車又は航空機内では大抵の場合に利用することができないので、この機構は、安全上の問題となる、車又は航空機内での大部分の使用も防ぐことになる。モバイルコミュニケーター３７０の屋内使用が望まれるとき、モバイルコミュニケーター３７０を屋内で使用可能にするために、アンテナ２７１がＧＰＳ信号をＧＰＳ信号増幅器１９０に与えることができる。代替的には、アンテナ２７１は、大部分のＧＰＳ受信機２１０が備えている場合がある内部アンテナよりも良好な受信を、ＧＰＳ信号増幅器１９０に対して提供することができる。
【００８２】
図２を参照すると、イネーブリングシステム３６０のための限りない応用形態が存在するが、本発明の発明者は、モバイルコミュニケーター３７０の状態４１０、４５０及び／又は５１０を有効にするために、上記の方法４００及び上記の図１に示されるようなイネーブリングシステム３６０を利用するための以下の３つの実施形態を提示する。
【００８３】
例１では、キット２０５又はモバイルコミュニケーター３７０のイネーブリングシステム３６０が、条件４４０を満たすことができる、すなわち、モバイルコミュニケーター３７０の速度を≦設定値とすることができると判断する場合には、以下において、例１に説明されるように、モバイルコミュニケーター３７０の送信及び可聴音受信機能６８０を使用可能にすることができる。
【００８４】
例１：移動中の車両においてキット２０５又はモバイルコミュニケーター３７０を使用可能にする
図２、及び本明細書内の関連する本文を参照すると、キット２０５、モバイルコミュニケーター３７０又は類似の通信デバイスを使用可能にするための方法４００のステップ６５０において、_Hlk329175218ＧＰＳ受信機２１０によってＧＰＳ信号が受信されたという通知を、_Hlk329175218接続ワイヤ２４７を介して、又は無線でイネーブリング回路２
５０に送信することができ、ＧＰＳプロセッサ２２０は、ＧＰＳ信号を、接続ワイヤ２００を介して、又は無線でＧＰＳ信号増幅器１９０から受信することができる。代替的には、ＧＰＳ信号増幅器１９０によってＧＰＳ信号が受信されたという通知を、ＧＰＳ信号増幅器１９０によって、接続ワイヤ２４３を介して、又は無線でイネーブリング回路２５０に送信することができる。ＧＰＳプロセッサ２２０からのＧＰＳ信号はデジタル又はアナログとすることができる。方法４００のステップ６５０において、上記ＧＰＳ信号を受信することは、キット２０５又はモバイルコミュニケーター３７０を使用可能にするための少なくとも１つの条件４２０とすることができ、その場合、イネーブリングシステム３６０によって、緊急サービスプロバイダー１８０への発信をいつでも可能にすることができる。イネーブリング回路２５０は、電気回路を完成するコンタクトクロージャを与えることによって、キット２０５又はモバイルコミュニケーター３７０から緊急サービスプロバイダー１８０への通話を可能することができ、その電気回路において、イネーブリング回路２５０は、ＧＰＳ信号が受信されたことを、ワイヤ２２５を介して、又は無線でコミュニケーターコントローラー３５０に通知し、コミュニケーターコントローラー３５０は緊急ダイヤラー２６０が緊急サービスプロバイダー１８０に電話をかけることを可能にする。
【００８５】
方法４００のステップ６６０において、ユーザーはキット２０５又はモバイルコミュニケーター３７０上の「スタートスイッチ」２０３を起動することができ、それにより、少なくとも１つの条件、例えば、緊急事態が生じているという条件が満たされた場合には、緊急サービスプロバイダー１８０、及び／又はキット２０５若しくはモバイルコミュニケーター３７０の位置送信機２７０への通話を可能にすることができる。ステップ６６０において、キット２０５又はモバイルコミュニケーター３７０のイネーブリングシステム３６０のイネーブリング回路２５０のロジックは、「緊急事態が生じているか？」４３０を尋ねる。緊急条件４３０が満たされた、例えば、ユーザーがマイクロフォン２７５に「助けて」のような単語又はコマンドを話したか、又はキーパッド２４０を介してメッセージ「緊急」を入力した場合には、ユーザーは、ステップ６６０「スタート」の場合のような、初期デフォルト使用不能状態４１０から９１１使用可能及びロケータートリガー状態４５０にキット２０５又はモバイルコミュニケーター３７０の状態を変更可能とすることができる。なぜなら、そのような単語若しくはコマンド又は入力は、緊急事態が生じているという少なくとも１つの条件、すなわち、方法４００のステップ５９０の場合のように、少なくとも１つの条件を満たすためである。ステップ５９０において、イネーブリング回路２５０は、電気回路を完成するコンタクトクロージャを与えることができ、その回路において、イネーブリング回路２５０は、ワイヤ２２５を介して、又は無線でコミュニケーターコントローラー３５０に通知し、コミュニケーターコントローラー３５０は、緊急ダイヤラー２６０をトリガーして９１１を呼び出すことができ、位置送信機２７０をトリガーしてロケータービーコン２１３をトリガーすることができる。
【００８６】
図３を参照すると、本明細書において関連する本文において説明されるように、イネーブリングシステム３６０が、図２に示され、本明細書内の関連する本文において説明されるような、方法４００のステップ５００の場合のように、緊急事態が生じてないことを、かつステップ６００においてＧＰＳ信号が受信されたことを確認した場合において、ステップ４９５の場合のように、モバイルコミュニケーター３７０を使用可能にする代わりに、イネーブリングシステム３６０は、条件４４０、すなわち、モバイルコミュニケーター３７０の速度ｓｆ，ｉ、モバイルコミュニケーター３７０の平均速度ｓａｖｇ、又はモバイルコミュニケーター３７０の正規化された速度ｎｓが設定値速度以下（「≦」）とすることができるという条件が満たされた場合には、キット２０５又はモバイルコミュニケーター３７０の可聴音受信及び送信機能６８０を使用可能にすることができる。ただし、設定値は、約０ｍｐｈ〜約１０ｍｐｈの任意の速度のような最大速度とすることができる。代替的には、設定値は約０ｍｐｈ〜約３０ｍｐｈとすることができる。速度≦設定点にお
いて車両が移動しているときの移動中の車両においてのみ、モバイルコミュニケーター３７０、例えば、携帯電話の使用を可能にすることを公共の安全要件とすることができ、その要件は、方法４００に従ってキット２０５又はモバイルコミュニケーター３７０及びイネーブリングシステム３６０を使用することによって促進することができる。
【００８７】
以下の例２において説明されるように、条件４８０、すなわち、プライバシー受信機システム２７３によってプライバシー信号が受信されなかったという条件が満たされたときに、キット２０５又はモバイルコミュニケーター３７０の送信及び可聴音受信機能６８０を使用可能にすることができる。
【００８８】
例２：プライバシー又はセキュリティが問題となる場合があるときにキット２０５又はモバイルコミュニケーター３７０を使用可能にする
プライバシー又はセキュリティが問題となる場合があるときに、キット２０５、モバイルコミュニケーター３７０又は類似の通信デバイスを使用可能にするために、イネーブリングシステム３６０を用いてモバイルコミュニケーター３７０を使用可能にするための方法４５０が説明される。キット２０５、モバイルコミュニケーター３７０又は類似の通信デバイスを使用可能にするための方法４５０のステップ７５０において、ＧＰＳ受信機２１０によってＧＰＳ信号が受信されたという通知を、接続ワイヤ２４７を介して、又は無線でイネーブリング回路２５０に送信することができ、ＧＰＳプロセッサ２２０は、ＧＰＳ信号を、接続ワイヤ２００を介して、又は無線でＧＰＳ信号増幅器１９０から受信することができる。代替的には、ＧＰＳ信号増幅器１９０によってＧＰＳ信号が受信されたという通知を、ＧＰＳ信号増幅器１９０によって、接続ワイヤ２４３を介して、又は無線でイネーブリング回路２５０に送信することができる。ＧＰＳプロセッサ２２０からのＧＰＳ信号はデジタル又はアナログとすることができる。方法４５０のステップ７５０において、上記ＧＰＳ信号を受信することは、キット２０５又はモバイルコミュニケーター３７０を使用可能にするための少なくとも１つの条件４２０とすることができ、その場合、イネーブリングシステム３６０によって、緊急サービスプロバイダー１８０への発信をいつでも可能にすることができる。
【００８９】
イネーブリング回路２５０は、電気回路を完成するコンタクトクロージャを与えることによって、キット２０５又はモバイルコミュニケーター３７０から緊急サービスプロバイダー１８０への通話を可能にすることができ、その電気回路において、イネーブリング回路２５０は、ＧＰＳ信号が受信されたことを、ワイヤ２２５を介して、又は無線でコミュニケーターコントローラー３５０に通知し、コミュニケーターコントローラー３５０は緊急ダイヤラー２６０を使用可能にして、緊急サービスプロバイダー１８０に電話をかけることができる。
【００９０】
方法４５０のステップ７６０において、ユーザーはキット２０５又はモバイルコミュニケーター３７０上の「スタートスイッチ」２０３を起動することができ、それにより、少なくとも１つの条件、例えば、緊急事態が生じていることが満たされた場合には、キット２０５又はモバイルコミュニケーター３７０の送信及び受信機能を使用可能にすることができる。ステップ７６０において、キット２０５又はモバイルコミュニケーター３７０のイネーブリングシステム３６０のイネーブリング回路２５０のロジックは、「緊急事態が生じているか？」４３０を尋ねる。ステップ７９７において、緊急条件４３０が満たされた、例えば、ユーザーがマイクロフォン２７５に「助けて」のような言葉又はコマンドを話したか、又はキーパッド２４０を介してメッセージ「緊急」を入力した場合には、ユーザーは、キット２０５又はモバイルコミュニケーター３７０の状態を、ステップ７６０「開始」の場合のような、初期デフォルト使用不能状態４１０から９１１使用可能及びロケータートリガー状態４５０に変更可能とすることができる。なぜなら、そのような単語若しくはコマンド又は入力は、緊急事態が生じているという少なくとも１つの条件、すなわ
ち、方法４５０のステップ７９０の場合のように、少なくとも１つの条件を満たすためである。ステップ７９７において、イネーブリング回路２５０は、電気回路を完成するコンタクトクロージャを与えることができ、その電気回路において、イネーブリング回路２５０は、ワイヤ２２５を介して、又は無線でコミュニケーターコントローラー３５０に通知し、コミュニケーターコントローラー３５０は、緊急ダイヤラー２６０をトリガーして９１１を呼び出すことができ、位置送信機２７０をトリガーしてロケータービーコン２１３をトリガーすることができる。
【００９１】
代替的には、方法４５０のステップ７００の場合のように、緊急事態が生じていない場合には、ステップ７９５の場合のように、キット２０５又はモバイルコミュニケーター３７０のイネーブリングシステム３６０が、条件４２０を満たすことができる、すなわち、ＧＰＳ信号が受信されたと判断する場合に、キット２０５又はモバイルコミュニケーター３７０の可聴音受信及び送信機能６８０を使用可能にすることができる。ステップ７９５において、イネーブリング回路２５０は、ＧＰＳ受信機２１０からＧＰＳ信号が受信されたことをコミュニケーターコントローラー３５０に通知する。イネーブリング回路２５０は、電気回路を完成するコンタクトクロージャを与えることができ、その電気回路において、イネーブリング回路２５０は、ＧＰＳ信号がイネーブリング回路２５０に与えられたことを、ワイヤ２２５を介して、又は無線でコミュニケーターコントローラー３５０に通知する。ステップ７９５において、イネーブリングシステム３６０は、キット２０５又はモバイルコミュニケーター３７０の状態をデフォルト使用不能状態４１０から使用可能状態５１０に変更することによって、キット２０５又はモバイルコミュニケーター３７０の可聴音受信及び送信機能６８０を使用可能にすることができる。
【００９２】
代替的には、方法４５０のステップ７９０において、キット２０５又はモバイルコミュニケーター３７０のイネーブリング回路２５０は、逆に、条件４２０が満たされなかった、すなわち、イネーブリング回路２５０によってＧＰＳ信号が受信されなかったと判断した。ステップ７９０において、キット２０５又はモバイルコミュニケーター３７０の状態はデフォルト使用不能状態４１０のままであるので、キット２０５又はモバイルコミュニケーター３７０の可聴音受信及び送信機能６８０は使用可能にすることができない。
【００９３】
ステップ７９５及び７９０において、イネーブリング回路２５０のロジックは、ステップ７９５の場合のように、条件４２０、すなわち、「ＧＰＳ信号が受信された」という条件が満たされたか、又はステップ７９０の場合のように、満たされないかを判断することができる。ステップ７９０において、ＧＰＳ信号が受信されなかった場合、例えば、ＧＰＳ信号がＧＰＳ信号増幅器１９０の見通し線内に存在しないとき、例えば、ＧＰＳ信号増幅器１９０が建物内、自動車内、又は航空機内の屋内に存在する可能性があるとき、イネーブリング回路２５０は、条件４２０が満たされなかったことをコミュニケーターコントローラー３５０に通信する。ステップ７９０の場合のように、ＧＰＳ信号を検出できない場合には、コミュニケーターコントローラー３５０は、デフォルト使用不能状態４１０を有効にすることができ、モバイルコミュニケーター３７０、例えば、携帯電話は使用不能のままである。
【００９４】
図６を参照すると、イネーブリングシステム３６０が、方法４５０のステップ７００の場合のように、緊急事態が生じていないこと、かつステップ７０７においてＧＰＳ信号が受信されたことを確認した場合には、ステップ７９５の場合のように、モバイルコミュニケーター３７０を使用可能にする代わりに、イネーブリングシステム３６０は、条件４８０を、すなわち、キット２０５又はモバイルコミュニケーター３７０のプライバシー受信機システム２７３がプライバシー信号を受信しなかったことを要求することができる。
【００９５】
方法４５０のステップ７０７において、イネーブリングシステム３６０は、プライバシ
ー信号を受信する場合も、受信しない場合もある。ステップ７０７において、プライバシー受信機システム２７３がプライバシー信号発生器２７１からプライバシー信号を受信する場合には、プライバシー受信機システム２７３は、プライバシー信号又は処理済の信号をイネーブリング回路２５０に与えることができる。イネーブリング回路２５０のロジックは、方法４５０のステップ７３０の場合のように、条件４８０、すなわち、「プライバシー信号が受信されなかった」という条件が満たされなかったと判断する場合がある。プライバシー信号が受信された場合、例えば、プライバシーが望まれるとき、又は例えば、企業秘密の著作権侵害が阻止されるべきであるとき、イネーブリング回路２５０は、条件４８０が満たされなかったことを、コミュニケーターコントローラー３５０に通信する。
【００９６】
代替的には、方法４５０のステップ７７５の場合のように、プライバシー信号を検出できない場合には、コミュニケーターコントローラー３５０は、使用可能状態５１０を有効にすることができ、モバイルコミュニケーター３７０、例えば、携帯電話の可聴音受信及び送信機能６８０を使用可能にすることができる。キット２０５又はモバイルコミュニケーター３７０の使用が適切であるか、安全であるか、又はセキュリティリスクでないとすることができるエリアの例には、離陸前の航空機、診療室外部の私的でない場所、ロッカールームの外部、機密を扱う企業又は民間公共の建物の外部、劇場の外部等が含まれる。キット２０５又はモバイルコミュニケーター３７０の使用が適切であるか、安全であるか、又はセキュリティリスクでないとすることができるエリアの例は、プライバシー又は安全上の理由から、キット２０５又はモバイルコミュニケーター３７０、例えば、携帯電話の使用を規制してもらう必要がある任意の公共の場所又は私的な場所を含む。
【００９７】
代替的には、プライバシー信号が受信されなかった場合、例えば、プライバシーが必要とされないとき、又は例えば、キット２０５又はモバイルコミュニケーター３７０の使用を推奨できるときには、イネーブリング回路２５０は、条件４８０が満たされたことをコミュニケーターコントローラー３５０に通信する。ステップ７７５の場合のように、プライバシー信号を検出できない場合には、コミュニケーターコントローラー３５０は使用可能状態を有効にすることができ、モバイルコミュニケーター３７０、例えば、携帯電話の可聴音受信及び送信機能６８０を使用可能にすることができる。
【００９８】
以下の例３において説明されるように、条件４６０、すなわち、音声認識システム２３０によってユーザーが確認されたという条件が満たされたときに、キット２０５又はモバイルコミュニケーター３７０の送信及び可聴音受信機能６８０を使用可能にすることができる。
【００９９】
例３：ユーザー許可が問題となる場合があるときにキット２０５又はモバイルコミュニケーター３７０を使用可能にする
図７は、キット２０５、モバイルコミュニケーター３７０又は類似の通信デバイスを使用可能にするために、イネーブリングシステム３６０を用いてモバイルコミュニケーター３７０を使用可能にするための方法４６５の実施形態を示す。キット２０５、モバイルコミュニケーター３７０又は類似の通信デバイスを使用可能にするための方法４６５のステップ８５０において、ＧＰＳ受信機２１０によってＧＰＳ信号が受信されたという通知を、接続ワイヤ２４７を介して、又は無線でイネーブリング回路２５０に送信することができ、ＧＰＳプロセッサ２２０は、ＧＰＳ信号を、接続ワイヤ２００を介して、又は無線でＧＰＳ信号増幅器１９０から受信することができる。代替的には、ＧＰＳ信号増幅器１９０によってＧＰＳ信号が受信されたという通知は、ＧＰＳ信号増幅器１９０によって、ワイヤ２４３を介して、又は無線でイネーブリング回路２５０に送信することができる。ＧＰＳプロセッサ２２０からのＧＰＳ信号はデジタル又はアナログとすることができる。方法４６５のステップ８５０において、上記ＧＰＳ信号を受信することは、キット２０５又はモバイルコミュニケーター３７０を使用可能にするための少なくとも１つの条件４２０
とすることができ、イネーブリングシステム３６０によって、緊急サービスプロバイダー１８０への発信をいつでも可能にすることができる。
【０１００】
イネーブリング回路２５０は、電気回路を完成するコンタクトクロージャを与えることによって、キット２０５又はモバイルコミュニケーター３７０から緊急サービスプロバイダー１８０への通話を可能にすることができ、その電気回路において、イネーブリング回路２５０は、ＧＰＳ信号が受信されたことを、ワイヤ２２５を介して、又は無線でコミュニケーターコントローラー３５０に通知し、コミュニケーターコントローラー３５０は、緊急ダイヤラー２６０が緊急サービスプロバイダー１８０に電話をかけることを可能にする。
【０１０１】
方法４６５のステップ８６０において、ユーザーはキット２０５又はモバイルコミュニケーター３７０上の「スタートスイッチ」２０３を起動することができ、それにより、少なくとも１つの条件、例えば、緊急事態が生じていることが満たされた場合には、キット２０５又はモバイルコミュニケーター３７０の送信及び受信機能を使用可能にすることができる。ステップ８６０において、キット２０５又はモバイルコミュニケーター３７０のイネーブリングシステム３６０のイネーブリング回路２５０のロジックは、「緊急事態が生じているか？」４３０を尋ねる。緊急条件４３０が満たされた、例えば、ユーザーがマイクロフォン２７５に「助けて」のような言葉又はコマンドを話したか、又はキーパッド２４０を介してメッセージ「緊急」を入力した場合には、ユーザーは、キット２０５又はモバイルコミュニケーター３７０の状態を、ステップ８６０「開始」の場合のような、初期デフォルト使用不能状態４１０から９１１使用可能及びロケータートリガー状態４５０に変更可能とすることできる。なぜなら、そのような単語若しくはコマンド又は入力は、緊急事態が生じているという少なくとも１つの条件、すなわち、方法４５０のステップ７９７の場合のように、少なくとも１つの条件を満たすためである。ステップ７９７において、イネーブリング回路２５０は、電気回路を完成するコンタクトクロージャを与えることができ、その電気回路において、イネーブリング回路２５０は、ワイヤ２２５を介して、又は無線でコミュニケーターコントローラー３５０に通知し、コミュニケーターコントローラー３５０は、緊急ダイヤラー２６０をトリガーして９１１を呼び出すことができ、位置送信機２７０をトリガーしてロケータービーコン２１３をトリガーすることができる。
【０１０２】
代替的には、方法４６５のステップ８００の場合のように、緊急事態が生じていない場合には、キット２０５又はモバイルコミュニケーター３７０のイネーブリングシステム３６０が、条件４２０を満たすことができる、すなわち、ＧＰＳ信号が受信されたと判断する場合に、ステップ８９５の場合のように、キット２０５又はモバイルコミュニケーター３７０の可聴音受信及び送信機能６８０を使用可能にすることができる。ステップ８９５において、イネーブリング回路２５０は、ＧＰＳ受信機２１０からＧＰＳ信号が受信されたことをコミュニケーターコントローラー３５０に通知する。イネーブリング回路２５０は、電気回路を完成するコンタクトクロージャを与えることができ、その電気回路において、イネーブリング回路２５０は、ＧＰＳ信号がイネーブリング回路２５０に与えられたことを、ワイヤ２２５を介して、又は無線でコミュニケーターコントローラー３５０に通知する。ステップ８９５において、イネーブリングシステム３６０は、キット２０５又はモバイルコミュニケーター３７０の状態をデフォルト使用不能状態４１０から使用可能状態５１０に変更することによって、キット２０５又はモバイルコミュニケーター３７０の可聴音受信及び送信機能６８０を使用可能にすることができる。
【０１０３】
代替的には、方法４６５のステップ８９０において、キット２０５又はモバイルコミュニケーター３７０のイネーブリング回路２５０は、逆に、条件４２０が満たされなかった、すなわち、イネーブリング回路２５０によってＧＰＳ信号が受信されなかったと判断し
た。ステップ８９０において、キット２０５又はモバイルコミュニケーター３７０の状態はデフォルト使用不能状態４１０のままであるので、キット２０５又はモバイルコミュニケーター３７０の可聴音受信及び送信機能６８０は使用可能にすることはできない。
【０１０４】
ステップ８９５及び８９０において、イネーブリング回路２５０のロジックは、ステップ８９５の場合のように、条件４２０、すなわち、「ＧＰＳ信号が受信された？」という条件が満たされたか、又はステップ８９０の場合のように、満たされないかを判断することができる。ステップ８９０において、ＧＰＳ信号が受信されなかった場合、例えば、ＧＰＳ信号がＧＰＳ信号増幅器１９０の見通し線内に存在しないとき、例えば、ＧＰＳ信号増幅器１９０が建物内、自動車内、又は航空機内の屋内に存在する可能性があるとき、イネーブリング回路２５０は、条件４２０が満たされなかったことをコミュニケーターコントローラー３５０に通信する。ステップ８９０の場合のように、ＧＰＳ信号を検出できない場合には、コミュニケーターコントローラー３５０は、デフォルト使用不能状態４１０を有効にすることができ、モバイルコミュニケーター３７０、例えば、携帯電話は使用不能のままである。
【０１０５】
図７を参照すると、イネーブリングシステム３６０が、方法４６５のステップ８００の場合のように、緊急事態が生じていないこと、かつステップ８０７においてＧＰＳ信号が受信されたことを確認した場合には、ステップ８９５の場合のように、モバイルコミュニケーター３７０を使用可能にする代わりに、イネーブリングシステム３６０は、条件４６０を、すなわち、キット２０５又はモバイルコミュニケーター３７０のユーザーが許可又は認証されることを要求することができる。ステップ８０７において、音声認識システム２３０が、マイクロフォン２７５から、イネーブリングシステム３６０内にあらかじめプログラミングされている、あらかじめプログラミングされた音声又はあらかじめプログラミングされた周波数と一致するユーザーの識別音声又は識別周波数若しくは音（これ以降、ユーザー識別音（複数の場合もあり））を受信する場合には、音声認識システム２３０は、イネーブリング回路２５０に音声認識の確認を与えることができる。これ以降、「ユーザーを許可する」又は「ユーザーを認証する」は、ユーザーの識別音声又は識別周波数若しくは音（これ以降、マイクロフォン２７５からのユーザー識別音（複数の場合もあり））が、イネーブリングシステム３６０内にあらかじめプログラミングされている、あらかじめプログラミングされた音声又はあらかじめプログラミングされた周波数若しくは音（複数の場合もあり）又はパスワードと一致すると判断する（一致することを確認する）、音声認識システム２３０の設計された特性又は機能を示す。あらかじめプログラミングされた音（複数の場合もあり）は、人間が聞き取ることができるか、又は聞き取ることができない周波数範囲内にあるとすることができる。例えば、犬笛は、人間が聞き取ることができない場合がある音（複数の場合もあり）を発することができる。人間には、１３０ｄｂ（非常に大きな音）において約２０サイクル／ｓｅｃから２０，０００サイクル／ｓｅｃの周波数が聞こえる。０ｄｂ（非常に小さな音）では、この範囲は約７００サイクル／ｓｅｃから６０００サイクル／ｓｅｃの範囲に減少する。
【０１０６】
代替的には、設定された周波数において自然に共振する音叉からの音、又は標準的なピアノ上の中央ハと同じであるＣメジャーのキーにおける音符Ｃのような、１組の周波数、すなわち、音（複数の場合もあり）を人間が聞き取ることができる場合がある。
【０１０７】
ステップ８０７において、イネーブリング回路２５０のロジックは、電気回路を完成するコンタクトクロージャを与えることができ、その電気回路において、イネーブリング回路２５０は、音声認識システム２３０がワイヤ２２３を介して、又は無線でイネーブリング回路２５０に音声認識の確認を与えたことを、ワイヤ２２５を介して、又は無線でコミュニケーターコントローラー３５０に通知する。電気回路の上記完成、及び音声認識の確認を、ワイヤ２２３を介して、又は無線でイネーブリング回路２５０に与えたことは、キ
ット２０５又はモバイルコミュニケーター３７０のイネーブリングシステム３６０を使用可能にするための少なくとも１つの条件とすることができ、コミュニケーターコントローラー３５０によって、緊急ダイヤラー２６０から緊急サービスプロバイダー１８０への発信をいつでも可能にすることができる。ステップ８０７において、イネーブリングシステム３６０は、プライバシー信号を受信する場合も、受信しない場合もある。イネーブリング回路２５０のロジックは、ステップ８７５の場合のように、条件４６０、すなわち、「キット２０５又はモバイルコミュニケーター３７０のユーザーが許可された」が満たされたか、又はステップ８３０の場合のように、満たされないかを判断することができる。音声認識システム２３０からの確認がイネーブリング回路２５０によって受信されなかった場合、例えば、ユーザーが許可なくキット２０５又はモバイルコミュニケーター３７０を使用しているとき、又はユーザーの音声、音（複数の場合もあり）若しくはパスワードを認証することができないときのように、ユーザーが許可されないときに、イネーブリング回路２５０は、条件４６０が満たされなかったことをコミュニケーターコントローラー３５０に通信する。ステップ８３０の場合のように、イネーブリング回路２５０によって音声認識システム２３０からの確認を受信できない場合には、コミュニケーターコントローラー３５０はデフォルト使用不能状態４１０を有効にすることができ、モバイルコミュニケーター３７０、例えば、携帯電話は使用不能のままとなる。
【０１０８】
代替的には、音声認識システム３６０からの確認が受信された場合、例えば、キット２０５又はモバイルコミュニケーター３７０の可聴音受信及び送信機能６８０を許可できるとき、イネーブリング回路２５０は、条件４８０が満たされたことをコミュニケーターコントローラー３５０に通信する。ステップ８７５の場合のように、音声認識システム３６０からの確認が受信された場合には、コミュニケーターコントローラー３５０は使用可能状態５１０を有効にすることができ、モバイルコミュニケーター３７０、例えば、携帯電話の可聴音受信及び送信機能６８０を使用可能にすることができる。
【０１０９】
方法４６５では、ステップ８７５において、緊急サービスプロバイダーへの発信が音声認識システム２３０によって認証される場合がある。方法４６５では、ステップ８７５において、音声認識システム２３０は、人間の耳で聞き取れる音及び人間の耳で聞き取れない音からなる群から選択された各音を認識することができる。方法４６５では、ステップ８７５において、パスワードを入力するか、又は音声認識によって認証することによって、緊急サービスプロバイダーにユーザーの識別情報を与えることができ、ロケータービーコンをトリガーすることができる。
【０１１０】
キット２０５又はモバイルコミュニケーター３７０、例えば、携帯電話の無断使用は、２つの理由、すなわち、Ａ）無断使用の結果として、キット２０５又はモバイルコミュニケーター３７０のプロバイダー、例えば、携帯電話のプロバイダーにおいて許可されたユーザーの料金口座に無断で課金される場合があること、及びＢ）無断使用の結果として、許可されたユーザーの個人呼出リストに無断でアクセスされる場合があり、そのリストは、他人、例えば、許可されないユーザーによるその名前及び電話番号へのアクセスを制限したい場合がある、そのリスト上の人の個々の名前及び電話番号を含む場合があることから望ましくない場合がある。キット２０５又はモバイルコミュニケーター３７０、例えば、携帯電話の無断使用の結果として、例えば、パスワード、個人識別番号（ＰＩＮ）等の許可されたユーザーの保護情報に無断でアクセスされる場合がある。キット２０５又はモバイルコミュニケーター３７０、例えば、携帯電話内に格納された保護情報のタイプの数が増えると、キット２０５又はモバイルコミュニケーター３７０、例えば、携帯電話内に格納された保護情報への不正アクセスが懸念される場合がある。数が増えた保護情報のタイプの一例は、政治家又は企業管理職の保管された部外秘の電話番号及び他の同様の保護情報とすることができる。本発明の実施形態の１つの目的は、キット２０５又はモバイルコミュニケーター３７０、例えば、携帯電話を紛失するか、又は盗難された場合でも、保
護情報に不正使用者がアクセスできないように、その電話の所有者を保護すること、及びキット２０５又はモバイルコミュニケーター３７０を取り戻すのに役に立つことになる機能を提供することである。
【０１１１】
図８及び図９を参照すると、本発明の一実施形態はモバイルコミュニケーター装置４７０を含むことができ、モバイルコミュニケーター４７０は、位置追跡ユニット６１０と、ディセーブリング回路５５０と、マイクロフォン３７５と、音声認識システム６３０と、メモリ記憶デバイス６２０と、キーパッド３４０と、緊急サービスシステム２９０とを含むことができる。緊急サービスシステム２９０は、位置送信機５７０及びロケータービーコン３１３を更に含むことができる。モバイルコミュニケーター装置４７０の位置追跡ユニット６１０は、信号送受信機ネットワーク３１０を利用して、モバイルコミュニケーター４７０の位置を特定することができる。
【０１１２】
図９を参照すると、信号送受信機ネットワーク３１０は、セルタワー３２０ａ〜３２０ｃのような、複数の信号送受信機から構成することができる。セルタワー３２０ａ〜３２０ｃは、固定された既知の場所に設置された無線通信局であり、モバイルコミュニケーター４７０との間で信号を送受信する。当業者は、これらの目的を果たすために、基地局、セルサイト、移動電話アンテナ用支柱又は種々の他の用語を、セルタワー３２０ａ〜３２０ｃを意味するように解釈することができる。セルタワー３２０ａ〜３２０ｃは、信号３３０ａ〜３３０ｃを外に向かって放射状にモバイルコミュニケーター４７０に送信することができる。さらに、セルタワー３２０ａ〜３２０ｃはモバイルコミュニケーター４７０から送信された信号３３５を受信することができる。モバイルコミュニケーター４７０の位置は、セルタワー信号３３０ａ〜３３０ｃの交点によって追跡することができる。
【０１１３】
図９は、信号送受信機ネットワーク内に３つのセルタワー３２０ａ〜３２０ｃを設けるが、信号送受信機ネットワーク３１０は、更なるセルタワー３２０ａ〜３２０ｃを含むことができる。ネットワーク３１０を構成するセルタワー３２０ａ〜３２０ｃの数が増えるほど、モバイルコミュニケーター４７０の位置を追跡する精度も高くなる。
【０１１４】
図８の場合のように、モバイルコミュニケーター装置は位置追跡ユニット６１０を含むことができ、位置追跡ユニットは、周囲の信号送受信機ネットワーク３１０を利用して、モバイルコミュニケーター４７０の位置を特定する。位置追跡ユニット６１０は、モバイルコミュニケーター４７０内に配置することができる。位置追跡ユニット６１０は、ディセーブリング回路５５０に接続することができる。ディセーブリング回路５５０は、限定はしないが、ＯＲ、ＡＮＤ、ＮＯＲ、ＮＡＮＤ及びＮＯＴを含む、非算術演算を実行する論理回路を含むことができる。ディセーブリング回路５５０は、少なくとも１つの条件が満たされる場合には、モバイルコミュニケーター装置を使用不能にすることができる。この実施形態では、少なくとも１つの条件は、１）プライバシー信号を受信すること、又は、２）モバイルコミュニケーター４７０の速度を所定の設定値よりも大きいと判断することのいずれかを含むことができる。設定値は、州法又は連邦法によって定められる速度とすることができる。
【０１１５】
プライバシー信号は、特別な理由からモバイルコミュニケーター４７０を通して信号を送信及び回復（retrieval）するのを禁止する或る特定の場所において、モバイルコミュニケーター４７０によって受信することができる。モバイルコミュニケーター４７０を使用不能にすることを必要とする場合がある幾つかの場所は、劇場、スポーツ競技大会、病院、教会、待合室、図書館、ロッカールーム、教室、乗物、企業秘密及び／若しくは機密情報を保管するビジネスエリア、又は企業秘密若しくは機密情報が議論される会議室を含むことができる。乗物は、限定はしないが、航空機、自動車、列車の座席のような、乗客を運ぶ任意の運搬用装置とすることができる。また、テロリストがいる状況、又は国防を
取り扱う任意の他の状況の場合、或る団体によって確認されたセキュリティレベルに依存するプロトコルに従って、プライバシー信号を実行することができる。ともかく、モバイルコミュニケーター４７０を使用不能にすることを必要とする場合がある場所は、プライバシー及び／又は静寂が望まれる場合がある任意のエリアとすることができる。
【０１１６】
図８を更に参照すると、モバイルコミュニケーター装置４７０は、モバイルコミュニケーター４７０に音声、音（複数の場合もあり）及び／又はパスワードを入力するためのマイクロフォン３７５を含むことができる。マイクロフォン３７５は、音響／電気変換器又はセンサーとして動作する任意のデバイスとすることができる。すなわち、マイクロフォン３７５は、音信号を電気信号に変換する任意のデバイスとすることができる。また、モバイルコミュニケーター装置４７０は、音声認識システム６３０及びメモリ記憶デバイス６２０も含むことができる。音声認識システム６３０は、マイクロフォン３７５に接続されるように構成することができ、ユーザーによって与えられる各音（複数の場合もあり）がメモリ記憶デバイス６２０内に格納されたあらかじめプログラミングされるか、又はユーザーによって録音された識別音と一致することを判断することによって、マイクロフォン３７５に入力された音声、音（複数の場合もあり）及び／又はパスワードを音声認識システム６３０によって認証できるようになる。モバイルコミュニケーター装置４７０は、限定はしないが、パスワード、名前、電話番号、テキストメッセージのようなアルファニューメリックの組み合わせをユーザーがモバイルコミュニケーター４７０に入力できるように構成されるキーパッド３４０を更に含むことができる。
【０１１７】
また、モバイルコミュニケーター装置４７０は緊急サービスシステム２９０も含むことができる。緊急サービスシステム２９０は、位置送信機５７０及びロケータービーコン３１３を含むことができる。位置送信機５７０は、モバイルコミュニケーター４７０の位置を緊急サービスプロバイダー２８０に送信するように構成することができ、一方、ロケータービーコン３１３は位置送信機５７０に接続され、モバイルコミュニケーターの地理的位置に関して、警報、点滅光、可聴音のようなロケーター信号を放射するように構成される。位置追跡ユニット６１０は、緊急サービスシステム２９０の構成要素にモバイルコミュニケーター４７０の位置を与えるために、位置送信機５７０及びロケータービーコン３１３に接続することができる。位置送信機５７０及びロケータービーコン３１３は、緊急サービスプロバイダー２８０に更に接続される場合がある。それゆえ、緊急時にモバイルコミュニケーター４７０の位置を緊急サービスプロバイダー２８０に送信することができ、緊急事態にあるユーザーの位置を特定する際に緊急サービスプロバイダー２８０を支援するために、ロケータービーコン３１３を放射することができる。
【０１１８】
本発明の別の実施形態は、図９に示されるような、モバイルコミュニケーターディセーブリングシステム３００に関連する。モバイルコミュニケーターディセーブリングシステム３００は、モバイルコミュニケーター４７０と、信号送受信機ネットワーク３１０とを含むことができる。モバイルコミュニケーター４７０は、位置追跡ユニット６１０及びディセーブリング回路５５０を更に含むことができる。位置追跡ユニット６１０は、モバイルコミュニケーター４７０の位置を特定するように構成することができる。さらに、ディセーブリング回路５５０は、モバイルコミュニケーター４７０の状態を、モバイルコミュニケーター４７０の可聴音受信及び送信機能が使用可能にされる使用可能状態から、モバイルコミュニケーター４７０の可聴音受信及び送信機能が使用不能にされる使用不能状態に変更するように構成することができる。位置追跡ユニット６１０は、信号送受信ネットワーク３１０を用いて、モバイルコミュニケーター４７０の位置を特定することができる。
【０１１９】
図１０に示されるように、モバイルコミュニケーター４７０の位置追跡ユニット６１０（図８）は、セルタワー３２０ａ、３２０ｂのような信号送受信機と通信して、三角測量
を用いてモバイルコミュニケーター４７０の位置を特定することができる。モバイルコミュニケーター４７０の位置追跡ユニット６１０は、セルタワー３２０ａ、３２０ｂとの入射角θ１、θ２をそれぞれ求めることができる。角度θ１、θ２は、到来角（ＡｏＡ）の既知の技法によって求めることができる。この技法は、セルタワーの複数のアンテナを用いて、到来する信号の入射角を求める。同じ技術を用いる第２のセルタワーも、その後、信号の方向、及び到来する信号の入射角を求めることができる。ＡｏＡシステムは、マルチパス信号を考慮するように設計されなければならない。信号が他の物体から反射するときにマルチパス信号が生じ、モバイルコミュニケーターの位置に関してセルタワーを混乱させる場合がある。セルタワー３２０ａと３２０ｂとの間の距離ｄは、セルタワー３２０ａ、３２０ｂの場所が固定されており、既知であるので既知の距離である。三角測量法は、或る点と２つの他の既知の基準点によって形成される三角形の種々の角及び辺の測定値を与えられた場合に、その点の位置を見つけるプロセスである。
【０１２０】
この例では、その点及び２つの他の既知の基準点はそれぞれ、モバイルコミュニケーター４７０及びセルタワー３２０ａ、３２０ｂである。さらに、距離ｄ及び角度θ１、θ２は既知である。任意の三角形において３つの角度の和は１８０度であることは当業者には既知である。それゆえ、モバイルコミュニケーター４７０の点及びセルタワー３２０ａ、３２０ｂは三角形を形成し、第３の角度θ３は、１８０−θ１−θ２とすることができる。種々の三角恒等式を用いて、モバイルコミュニケーター４７０とセルタワー３２０ａ、３２０ｂとの間の距離Ｉａ、Ｉｂを求めることができる。これらの長さのいずれかを与えられると、正弦及び余弦を用いて、南北及び東西の両方の軸において、セルタワー３２０ａ、３２０ｂがある対応する観測点から、モバイルコミュニケーター４７０がある未知の点までのオフセットを計算することができる。それゆえ、モバイルコミュニケーター４７０の位置が特定されることになる。さらに、モバイルコミュニケーター４７０の位置追跡ユニット６１０は、概ねリアルタイムに、モバイルコミュニケーター４７０の位置を絶えず動的に追跡しているので、経時的な位置の変化を解析することによって、モバイルコミュニケーター４７０の速度も求めることができる。
【０１２１】
システム３００の別の実施形態では、位置追跡ユニット６１０（図８）は、図１１に示される三辺測量法を用いて、モバイルコミュニケーター４７０の位置を特定することができる。三辺測量は、三角測量と同じようにして、三角形の幾何学を用いて物体の相対的な位置を特定する方法である。しかしながら、角度測定値を用いて物体の位置を計算する三角測量とは異なり、三辺測量は、２つ以上の基準点の既知の位置と、物体と各基準点との間の測定距離とを用いる。図１１に示されるように、Ｘ軸及びＹ軸からなる座標系がある。Ｚ方向における高さは微小であり、０で近似することができるので、Ｚ軸は図示されない。モバイルコミュニケーター４７０の位置は、セルタワー信号３３０ａ〜３３０ｃが交差する場所である。
【０１２２】
図１１を更に参照すると、セルタワー３２０ａは、座標系の原点に位置する。セルタワー３２０ｂは、Ｘ軸上の、セルタワー３２０ａがある原点から距離ｐに位置する。それゆえ、セルタワー３２０ｂは、セルタワー３２０ａと同じｙ座標を有する。セルタワー３２０ｃは、座標系の第四象限に位置しており、セルタワー３２０ｃはＹ軸の右に距離ｉ、及びＸ軸下方に距離ｊにある。図１１は、特有の構成を有するモバイルコミュニケーターシステム３００を示すが、システム３００は、数多くの異なる構成のセルタワー３２０ａ〜３２０ｃ及びモバイルコミュニケーター４７０を含むことができる。さらに、モバイルコミュニケーターディセーブリングシステム３００は、更なるセルタワー３２０ａ〜３２０ｃを含み、モバイルコミュニケーター４７０の位置に関して更に精度の高い計算を提供することができる。
【０１２３】
図１１を参照すると、各セルタワー３２０ａ〜３２０ｃは球の形状に信号３３０ａ〜３
３０ｃを放射する。簡略化のために図１１は、信号３３０ａ〜３３０ｃを、球ではなく円として示す。しかしながら、モバイルコミュニケーター４７０の位置の導出は、信号３３０ａ〜３３０ｃが球であると仮定する。信号３３０ａ〜３３０ｃは既知の速度で進行するので、各セルタワー３２０ａ〜３２０ｃからモバイルコミュニケーター４７０までの距離ｒ１、ｒ２及びｒ３は、到来時間から直接計算することができる。距離を求めるための公式は：ｄ＝ｖ＊ｔである。
【０１２４】
図１１を更に参照すると、モバイルコミュニケーター４７０の位置を導出するために、各信号３３０ａ〜３３０ｃの球の式を求め、互いに等しいと置いて、全ての信号３３０ａ〜３３０ｃが交差する点を計算することができる。この交差点は、モバイルコミュニケーター４７０の位置である。上記で言及されたように、信号３３０ａ〜３３０ｃのｚ座標は０に近似される。モバイルコミュニケーター４７０の位置の導出は、以下のように行なわれる。信号３３０ａを求める式は以下のとおりである。
【数４】
2013514043.tif 000006
信号３３０ｂを求める式は以下のとおりである。
【数５】
2013514043.tif 000007
信号３３０ｃを求める式は以下のとおりである。
【数６】
2013514043.tif 000008
信号３３０ａを求める式から信号３３０ｂを求める式を引くと以下のようになる。
【数７】
2013514043.tif 000009
ｘについて解くと以下のようになる。
【数８】
2013514043.tif 000010
ｘを信号３３０ａを求める式に代入すると以下のようになる。
【数９】
2013514043.tif 000011
ｙ２＋ｚ２について解き、ｘを代入すると以下のようになる。
【数１０】
2013514043.tif 000012
信号３３０ｃを求めるためにｙ２＋ｚ２について解き、それを上記の式に等しいと置くと
以下のようになる。
【数１１】
2013514043.tif 000013
ｙについて解くと以下のようになる。
【数１２】
2013514043.tif 000014
ｘ及びｙを求める式を用いて、信号３３０ａを求める式をｚについて解くと以下のようになる。
【数１３】
2013514043.tif 000015
【０１２５】
それゆえ、上記の導出から、かつ図１１を参照すると、モバイルコミュニケーター４７０の位置は、三辺測量法によって特定することができる。
【０１２６】
図８及び図９を更に参照すると、モバイルコミュニケーターシステム３００は図１２に示されるように動作することができる。図１２において与えられるように、モバイルコミュニケーター４７０は初期の使用可能状態１００にあることができる。モバイルコミュニケーターディセーブリングシステム３００のこの例では、信号送受信機ネットワーク３１０は、モバイルコミュニケーター４７０の位置を特定するために、モバイルコミュニケーター４７０の位置追跡ユニット６１０と通信することができる。図１２を参照すると、少なくとも１つの条件が満たされない場合には、モバイルコミュニケーターは使用可能のままにすることができる（１６０）。位置追跡ユニット６１０は、信号送受信機ネットワーク３１０と絶えず通信して、少なくとも１つの条件が満たされたか否かを判断することができる。しかしながら、少なくとも１つの条件が満たされた場合には、ディセーブリング回路はモバイルコミュニケーターを使用不能にすることができる（１１０）。少なくとも１つの条件は、プライバシー信号の回復、又は、モバイルコミュニケーター４７０の現在の速度が所定の設定値よりも大きい場合があることのいずれかを含むことができる。図１２に示されるように、モバイルコミュニケーターは、３０秒間、又は任意の時間にわたって使用不能のままにすることができる（１２０）。位置追跡ユニット６１０は、３０秒のような時間１２０が経過した後に、モバイルコミュニケーター４７０の位置を絶えず特定することができるので、少なくとも１つの条件が依然として満たされる場合には、モバイルコミュニケーターは使用不能のままにすることができ（１３０）、３０秒のような、更なる時間にわたって使用不能のままにすることができる（１２０）。しかしながら、少なくとも１つの条件がもはや満たされない場合には、ディセーブリング回路は、モバイルコミュニケーターを再び使用可能にすることができる（１４０）。さらに、緊急事態が生じる場合には、ディセーブリング回路は、モバイルコミュニケーターを使用可能にすることができる（１５０）。
【０１２７】
図８及び図１３を参照して説明されるような、モバイルコミュニケーター４７０のディセーブリング方法９００は、モバイルコミュニケーター４７０に位置追跡ユニット６１０及びディセーブリング回路５５０を設けること（９１０）であって、モバイルコミュニケーター４７０は初期の使用可能状態にある、設けること（９１０）と、モバイルコミュニケーター４７０の位置を特定すること（９２０）と、モバイルコミュニケーター４７０を使用不能にするための少なくとも１つの条件が満たされたと判断すること（９３０）と、
モバイルコミュニケーター４７０を使用不能にすること（９４０）とを含むことができる。
【０１２８】
図８及び図１３を引き続き参照し、図９を更に参照すると、モバイルコミュニケーター４７０の位置を特定すること（９２０）は、位置追跡ユニット６１０が信号送受信機ネットワーク３１０と通信することを含むことができる。位置の特定（９２０）は、三角測量、三辺測量、多辺測量、ＧＰＳポジショニング、セル識別、改良されたセル識別等を更に含むことができる。
【０１２９】
多辺測量は、或る物体から３つ以上の受信機に放射される信号の到来時間差（ＴＤｏＡ）を正確に計算することによって、その物体の位置を特定するプロセスである。ＴＤｏＡは、距離を計算する間接的な方法として、信号が進行するのに要する時間を用いる。最低限、セルタワー３２０ａ〜３２０ｃのような、信号送受信機の３つの基地局を用いて、モバイルコミュニケーター４７０からの信号を受信するときに、信号３３５が各セルタワー３２０ａ〜３２０ｃに到来するのに要する時間の差を用いて、モバイルコミュニケーター４７０の位置を特定することができる。
【０１３０】
セル識別は、信号強度に基づいて、モバイルコミュニケーター４７０の位置を特定する方法である。これは、モバイルコミュニケーター４７０の位置の概算値を与える簡単な方法である。モバイルコミュニケーター４７０と通信しており、かつモバイルコミュニケーター４７０に最も近いセルタワー３２０ａ〜３２０ｃの位置が、モバイルコミュニケーターのおおよその位置であると判断する。モバイルコミュニケーター４７０からの最も強い信号３３５を受信するセルタワー３２０ａ〜３２０ｃが、モバイルコミュニケーター４７０に最も近い。
【０１３１】
この簡単な方法は、移動体の位置決めの精度を高めるために、多くの場合に、グローバルポジショニングシステム（ＧＰＳ）又は到来時間（ＴｏＡ）のような他の技法とともに用いられる。ＴｏＡはＴＤｏＡ技法に類似であるが、局間の差ではなく、或る特定の基地局における絶対到来時間を用いる点で異なる。
【０１３２】
モバイルコミュニケーター４７０を使用不能にするための少なくとも１つの条件が満たされたと判断すること（９３０）は、プライバシー信号の回復、又はモバイルコミュニケーター４７０の速度が所定の設定値よりも大きいという判断のいずれかである、使用不能にするための少なくとも１つの条件を含むことができる。
【０１３３】
さらに、モバイルコミュニケーターを初期に使用可能にすること（９１０）は、音声認識システム６３０を用いてユーザーの音声及び／又はパスワードを認証すること、又は位置追跡ユニット６１０を用いてモバイルコミュニケーター４７０の位置を特定することを更に含むことができる。
【０１３４】
モバイルコミュニケーターを使用不能にするための方法（９００）は、図１２に示されるように、モバイルコミュニケーター４７０を再び使用可能にすることも含むことができる。モバイルコミュニケーター４７０は、少なくとも１つの条件がもはや満たされない場合には使用可能にすることができる（１４０）。さらに、緊急事態が生じている場合には、ディセーブリング回路はモバイルコミュニケーターを使用可能にする（１５０）。一例において、モバイルコミュニケーターを使用不能にするための方法９００は、単語を話すか、又は言葉に表す、例えば、マイクロフォン３７５に「助けて」と話しかけるか、又はキーパッド３４０を介して「助けて」を入力することによって、緊急時にモバイルコミュニケーターを使用可能にすることも含むことができる。別の例では、これは、位置送信機５７０に通知して、ロケータービーコン３１３をトリガーすることもできる。さらに、一
例は、ユーザーが緊急サービスプロバイダー２８０を呼び出すために、緊急時にモバイルコミュニケーター４７０を使用可能にすることを含むことができ、緊急サービスプロバイダー２８０はロケータービーコン３１３を起動することができる。加えて、緊急サービスプロバイダー２８０は、モバイルコミュニケーター４７０の許可されたユーザーに関して通知を受けることもできる。
【０１３５】
ここで図１４を参照すると、本発明の別の実施形態がモバイルコミュニケーター１０００を含むことができる。モバイルコミュニケーター１０００は標準的な移動携帯電話とすることができ、かつ／又はインターネットブラウジング、クラウドコンピューティング、画像収集、音声収集、及び他の形のビデオ又はメディアビューイングのような、更なる機能も含むことができる。例えば、モバイルコミュニケーター１０００は、概ねリアルタイムのＧＰＳグラフィカルマップビューイング（GPS graphical map viewing）、ポータブルゲームプレーヤー、デジタル音楽プレーヤー、時計、無線チューナ、アラーム時計、デジタルメモパッド、デジタルカレンダー、双方向無線機（ウォーキートーキー）、電子接触ローロデックス（electronic contact rolodex）、電子ブックリーダー及び計算機を含むことができる。本発明に適用可能な種々の形のモバイルコミュニケーター１０００は当業者によって理解されるであろう。しかしながら、モバイルコミュニケーター１０００は、別のデバイスと通信することができる任意の移動デバイスとすることができる。
【０１３６】
モバイルコミュニケーター１０００は、上記で説明されたような、モバイルコミュニケーター３７０のイネーブリングシステム３６０に類似の機能のうちの幾つか又は全てを有するイネーブリングシステム１０１０を含むことができる。したがって、モバイルコミュニケーター１０００は初期デフォルト使用不能状態を有し、それにより、本明細書において説明されたモバイルコミュニケーター１０００の構成要素又は機能のいずれか又は全てが使用不能にされる。イネーブリングシステム１０１０は、開構成と閉構成との間で動作可能であり、モバイルコミュニケーター３７０のイネーブリングシステム３６０に関して上記で説明されたのと同じようにして、モバイルコミュニケーター１０００を起動するために、閉じた位置にあるときに電気回路を完成するように配置されるコンタクトを含むことができる。
【０１３７】
モバイルコミュニケーター１０００のイネーブリングシステム１０１０は、上記で説明したモバイルコミュニケーター３７０のイネーブリング回路２５０の機能のうちの幾つか又は全てを有するイネーブリング回路１０７０を含むことができる。イネーブリング回路１０７０のロジックは、少なくとも１つの条件が満たされたときに、モバイルコミュニケーター１０００の初期デフォルト使用不能状態を、使用可能になるように変更することができる。
【０１３８】
さらに、モバイルコミュニケーター１０００は、開構成と閉構成との間で動作可能であるコンタクト１０７５を含み、それにより、コンタクトが閉構成にあるときに、電話は機能を提供される。それゆえ、コンタクト１０７５は、概念的にオン／オフスイッチとみなすことができ、それにより、コンタクトを閉じることによって、モバイルコミュニケーター１０００をオンにし、モバイルコミュニケーター１０００に機能を提供する。同様に、コンタクトが開いているとき、モバイルコミュニケーター１０００はオフ状態にあることができ、それにより、モバイルコミュニケーター１０００の機能はいずれも使用可能にされない。
【０１３９】
さらに、モバイルコミュニケーター１０００は、ディスプレイ１０２０と、ユーザーに知らせるための通知機構１０３０と、ユーザーインターフェース１０４０と、送信機１０５０と、受信機１０６０とを含むことができる。モバイルコミュニケーターのデフォルト使用不能状態は、ディスプレイ１０２０、通知機構１０３０、ユーザーインターフェース
１０４０、送信機１０５０、受信機１０６０、テキストメッセージングインターフェース、画像メッセージングインターフェース、ビデオメッセージングインターフェース、インターネットブラウザー、画像取得器、音声取得器、ビデオ取得器、ＧＰＳグラフィカルマップビューワー、ゲームプレーヤー、デジタル音楽プレーヤー、アラーム時計、デジタルメモパッド、デジタルカレンダー、双方向無線機、電子ブックリーダー、電子接触ローロデックス及び計算機のうちの少なくとも１つが使用不能にされる状態であることは理解されたい。したがって、イネーブリング回路１０７０は、１つの条件が満たされたときに、電話のこれらの構成要素１０２０、１０３０、１０４０、１０５０のうちの少なくとも１つを使用可能にすることができる。加えて、上記の機能のうちの任意の組み合わせを、デフォルト使用不能状態中に使用不能にすることができることは理解されたい。さらに、任意のソフトウェア操作性を使用不能にすることができ、モバイルコミュニケーター１０００の或る特定の、又は全てのアプリケーションを阻止することができる。モバイルコミュニケーター１０００が使用不能状態にあるときに、任意の外部情報源からの任意の入力を妨げることができることは理解されたい。
【０１４０】
モバイルコミュニケーター１０００のディスプレイ１０２０は、ユーザーインターフェース１０４０と統合される複合的なインタラクティブタッチスクリーンとすることができる。代替的には、ディスプレイ１０２０は、ユーザーに、発信番号又はダイヤルした番号のような情報を提示するための簡単なＬＣＤディスプレイとすることができる。任意の形のディスプレイが考えられることは理解されたい。
【０１４１】
同様に、モバイルコミュニケーター１０００のユーザー通知機構１０３０は、ユーザーに知らせるベル音又は「着信音」を発するスピーカのような、雑音通知素子（noise notification element）とすることができる。例えば、モバイルコミュニケーター１０００が送信信号を受信するとき、スピーカは着信をユーザーに知らせるあらかじめプログラミングされた可聴ベル音を発することができる。代替的には、通知機構１０３０は、ディスプレイ１０２０上で見られる変化とすることができる。例えば、ディスプレイ１０２０は、着信があるときに点灯することができる。さらに、モバイルコミュニケーター１０００は、当該技術分野において既知であるように振動することができる。ユーザー通知機構１０３０は、通信イベントをユーザーに知らせるための任意の機構とすることができる。加えて、通知機構１０３０は、或る時刻になったとき等の（アラーム時計通知の場合）、所定のイベントをユーザーに知らせるようにあらかじめプログラミングすることができる。
【０１４２】
ユーザーインターフェース１０４０は、ユーザーが数字及び文字のアルファニューメリックの組み合わせに関連付けられる複数のアイデンティティ入力（identity input）を入力できるように構成することができる。例えば、ユーザーインターフェース１０４０はタッチセンサー、キーパッド、又は簡単な数字パッドとすることができる。代替的には、ユーザーインターフェース１０４０は、ユーザーが音声によって複数の識別入力を入力できるようにするボイスレシーバーとすることができる。それゆえ、モバイルコミュニケーター１０００は、当業者には明らかである任意のタイプのユーザーインターフェースを含むことができることは理解されたい。
【０１４３】
モバイルコミュニケーター１０００の送信機１０５０は、ユーザーインターフェース１０４０と動作可能に通信することができ、モバイルコミュニケーター１０００から、ユーザーインターフェース１０４０を介してモバイルコミュニケーター１０００に入力されるアイデンティティ入力に対応するアイデンティティを有する出力デバイスに送信を送るように構成することができる。送信機１０５０は、携帯電話音声伝送、電子メール、ビデオ又はピクチャメッセージ、又はインターネットとインタラクトする伝送のような通常の電磁波伝送及び／又は音波伝送を通信するように構成することができる。例えば、送信機１０５０は、ルーター又はローカルエリアネットワークを通して信号を送信するように構成
されるネットワークアダプター又はカードとすることができる。代替的には、モバイルコミュニケーター１０００の送信機１０５０は、第三世代又は第四世代の無線ネットワークにおいて送信を送るように構成することができる。
【０１４４】
同様に、モバイルコミュニケーター１０００の受信機１０６０は、送信側デバイスからの送信を受信することができる。モバイルコミュニケーターは、携帯電話音声伝送、電子メール、テキスト、ビデオ又はピクチャメッセージ、又はラップトップ若しくはコンピューターからの送信のような任意のタイプの送信を受信するように構成することができる。例えば、モバイルコミュニケーターの受信機１０６０は、ルーター、スイッチ又は他のローカルエリアネットワークからローカル信号を受信するように構成することができる。代替的には、モバイルコミュニケーター１０００の受信機１０６０は、第三世代又は第四世代無線ネットワークからの送信を受信するように構成することができる。
【０１４５】
上記で説明されたように、モバイルコミュニケーター１０００は、初期デフォルト使用不能状態を含み、それにより、モバイルコミュニケーター１０００の機能又は構成要素１０２０、１０３０、１０４０、１０５０、１０６０のうちの１つ又は複数が使用不能にされる。コンタクト１０７５が閉じた位置にあっても、少なくとも１つの条件が満たされない場合には、モバイルコミュニケーター１０００はこのデフォルト使用不能状態のままであることは理解されたい。したがって、モバイルコミュニケーターを「オン」にすることによってモバイルコミュニケーター１０００の機能を包括的に起動するとき、コンタクト１０７５は閉じた位置にあることができる。しかしながら、この「オン」状態にあっても、条件が満たされない限り、モバイルコミュニケーター１０００はデフォルト使用不能状態にあり、それにより、電話の構成要素１０２０、１０３０、１０４０、１０５０、１０６０の１つ又は複数が使用不能にされる。モバイルコミュニケーター１０００のイネーブリングシステム１０１０及びイネーブリング回路１０７０は、或る特定の条件が満たされたときに、これらの機能又は構成要素のうちの１つ又は複数を使用可能にするように構成することができる。
【０１４６】
モバイルコミュニケーター１０００がデフォルト使用不能状態にあるとき、モバイルコミュニケーターは、ユーザーが、受信した通話に応答しないように、又は受信したテキストを見ないようにすることができる。加えて、モバイルコミュニケーター１０００は、デフォルト使用不能状態において、ユーザーがメールを作成して送信しないように、又は電話をかけないようにすることができる。一方、モバイルコミュニケーター１０００は、着信があったことをユーザーに音で知らせる機構を含むことができる。例えば、モバイルコミュニケーター１０００は、デフォルト使用不能状態にある場合があり、それにより、テキスト及び通話を受信及び送信することが不可能にされる。しかしながら、モバイルコミュニケーター１０００は、着信していること、そして誰からの着信かをユーザーに音で知らせることができる。同様に、モバイルコミュニケーター１０００は、テキストメッセージが受信されたことをユーザーに知らせることができる。モバイルコミュニケーター１０００は、テキストメッセージのテキストを可聴音声メッセージに自動的に変換するように更に構成することができ、音声メッセージはユーザーに対して自動的に報知することができる。同様に、モバイルコミュニケーター１０００は、デフォルト使用不能状態中に電子メール機能が使用不能にされる場合であっても、電子メールが受信されたことをユーザーに知らせることができる。本発明はこれらの実施形態には限定されず、モバイルコミュニケーター１０００がデフォルト使用不能状態中にユーザーに知らせる他の類似の実施形態が当業者には明らかであろう。
【０１４７】
モバイルコミュニケーター３７０に関して上記で説明されたように、満たされる条件は、モバイルコミュニケーター１０００が、≦設定値速度である速度において移動していることとすることができる。速度は、イネーブリングシステム１０１０に関連付ける内部グ
ローバルポジショニングシステム（ＧＰＳ）受信機１０８０によって求めることができる。したがって、速度は、三角測量、三辺測量、多辺測量、又は信号送受信機ネットワークを用いてモバイルコミュニケーター１０００の位置及び／又は速度を求める任意の他の方法を通して求めることができる。代替的には、満たされる条件は、モバイルコミュニケーター３７０に関して上記で説明されたように、モバイルコミュニケーター１０００がプライバシー信号又はＧＰＳ信号を受信しないこととすることができる。またさらに、満たされる条件は、モバイルコミュニケーター３７０に関して説明された認証システムに類似の、モバイルコミュニケーター１０００の内部システムによって、ユーザーが許可されたユーザーであると判断されることとすることができる。
【０１４８】
本発明の別の実施形態では、満たされる条件は、モバイルコミュニケーター１０００がハンズフリーモードにあることとすることができる。例えば、ハンズフリーモードは、ブルートゥース（登録商標）システム、又はパーソナルエリアネットワーク（ＰＡＮ）を作り出すための他の類似のオープン無線プロトコルシステムとすることができ、それによりモバイルコミュニケーター１０００と別の通信リンクデバイス１０９０との間に通信リンクが確立される。ブルートゥースのようなＰＡＮシステムは、当該技術分野において一般的に知られているように、マイクロフォン、並びに信号受信機及び送信機を含むことができる。それゆえ、モバイルコミュニケーター１０００は、その電話がハンズフリー方式で使用されていると判断することができ、それにより条件を満たし、デフォルトで使用不能にされている電話の１つ又は複数の構成要素１０２０、１０３０、１０４０、１０５０、１０６０を起動することができる。
【０１４９】
ブルートゥースのようなＰＡＮ技術を利用する代わりに、モバイルコミュニケーター１０００のハンズフリーモードは、ユーザーが音声コマンドを通してのみ入力できるモードとすることができる。ユーザーは、例えば、一連の音声コマンドを用いて、モバイルコミュニケーター１０００をダイヤルし、応答することができる。この状態では、モバイルコミュニケーター１０００は、通常のユーザーインターフェース１０４０において手入力を受け付けることができない。このハンズフリー音声モードは音声コマンドによって起動できることも更に考えられる。
【０１５０】
またさらに、図１５に示されるように、モバイルコミュニケーター１０００のハンズフリーモードは、ホルスターデバイス１１００によって起動することができる。例えば、車両が一体型のホルスター１１００を含むことができ、それにより、モバイルコミュニケーター１０００はそのホルスターに取付け可能にすることができる。取り付けられるときに、条件を満たすことができ、それにより、モバイルコミュニケーター１０００がデフォルト使用不能状態から使用可能状態に切り替わる。また、ホルスター１１００は、車両の電源に接続される別のデバイスとすることもできる。加えて、モバイルコミュニケーター１０００をホルスター１１００に差し込むか、又は別の方法で取り付けることによって、モバイルコミュニケーター１０００の機能を自動的に変更することができることも考えられる。例えば、モバイルコミュニケーター１０００をホルスター１１００に差し込むことによって、モバイルコミュニケーター１０００を上記のハンズフリー音声コマンドモードに自動的に入れる条件を容易にすることができる。代替的には、モバイルコミュニケーター１０００をホルスター１１００に取り付けることによって、音声コマンドモードを同様に使用可能にしながら、ユーザーインターフェース１０４０の指入力ユーザーインターフェースを使用不能にすることができる。ホルスター１１００はモバイルコミュニケーター１０００のための充電器としての役割を更に果たすこともでき、共通の１２ボルト車両電源系統のような、車両の電源系統によって電力を供給されるように車両内に設置できることは理解されたい。
【０１５１】
モバイルコミュニケーター１０００は、或る特定の主要機能の性能を高めるために、種
々の機能モードに入るように構成することもできる。主要機能は、電池寿命、最大性能、又はモバイルコミュニケーター１０００の速度及び／若しくは位置を特定する際の最大精度を含むことができる。更なる主要機能は、当業者が予想することができる。例えば、ユーザーは、モバイルコミュニケーター１０００を、ユーザーインターフェース及びディスプレイが機能しないモードに入れるコマンドを自発的に入力することができる。この自発的な使用不能モードでは、ＧＰＳ受信機もオフにすることができる。
【０１５２】
図１６に示されるように、この実施形態におけるモバイルコミュニケーター１０００及びイネーブリングシステム１０１０のロジックは、或る条件が満たされない限り、モバイルコミュニケーター１０００がデフォルト使用不能状態にあることとすることができる。その状態は、例えば、モバイルコミュニケーター１０００が、≦設定値速度である速度において移動していることとすることができる。モバイルコミュニケーター１０００がこの条件を満たすときに、ユーザーはそれでも、自発的使用不能モードコマンドを入力することによって、イネーブリングシステム１０１０を自発的に無効にすることができる。
【０１５３】
代替的には、図１７に示されるように、そのロジックは、条件が満たされたときに、モバイルコミュニケーター１０００が使用可能状態に入ることとすることができる。この実施形態では、条件が満たされ、モバイルコミュニケーター１０００がイネーブリングシステム１０１０によって使用可能状態にあることを十分に許される場合であっても、自発的コマンドによって、デフォルト使用不能状態において使用不能にされた任意の機能又は構成要素１０２０、１０３０、１０４０、１０５０、１０６０を重ねて使用不能にすることができる。別の実施形態では、条件が満たされ、イネーブリングシステム１０１０によってモバイルコミュニケーター１０００の種々の機能が使用可能にされた場合であっても、自発コマンドは、異なる１組の機能又は構成要素を使用不能にするように構成することができる。
【０１５４】
自発的なユーザーディセーブリングシステムを追加することによって、電話の電池寿命を節約できるようになることは理解されたい。ＧＰＳ受信機がモバイルコミュニケーターの電池寿命に負担をかけることが、当該技術分野における既知の問題である。使用中に、ＧＰＳ受信機及び付随するプログラムが、モバイルコミュニケーターの電池寿命及び電荷を消費することが一般的に知られている。したがって、本発明のモバイルコミュニケーター１０００のユーザーは、ＧＰＳが不要になる使用不能状態に自発的に入ることができ、それにより、モバイルコミュニケーター１０００の電池寿命を節約することができる。モバイルコミュニケーター１０００がこの自発的な使用不能状態にあるときに、或る特定の機能は動作可能にできることも理解されたい。例えば、モバイルコミュニケーター１０００は、上記のように、音声コマンドを受信することができる。
【０１５５】
モバイルコミュニケーターが移動していないときに、モバイルコミュニケーター１０００のＧＰＳ受信機１０８０は、よりアクティブでない状態に移行できることも更に考えることができる。例えば、ＧＰＳ受信機１０８０は、先行する２回の位置情報要求の結果として、モバイルコミュニケーター１０００が移動せず、同じ場所にいると判断するとき、より長い時間間隔で位置情報を要求することができる。その後、ＧＰＳ受信機１０８０が、位置が高速に変化したと判断するとき、ＧＰＳ受信機１０８０は自動的に、よりアクティブな問い合わせモードに入ることができる。このモードでは、ＧＰＳ受信機１０８０は位置情報をはるかに迅速に要求することができる。モバイルコミュニケーター１０００が再び静止していると判断されるまで、ＧＰＳ受信機１０８０はこのモードを保つことができる。
【０１５６】
図１８に示される、本発明の別の実施形態では、モバイルコミュニケーター１０００は、別の信号発生デバイス１１１０に応答することができる。別の信号発生デバイス１１１
０は、例えば、車両１１２０内に設置することができる。別の信号発生デバイス１１１０は、イネーブリング信号を送出することができ、その信号はモバイルコミュニケーター１０００によって受信され、それによりデバイスを使用可能にする。このイネーブリング信号は、いかなるディセーブリング条件にも優先することができる。例えば、モバイルコミュニケーター１０００はオンにされるが、初期にデフォルト使用不能状態にあることができる。モバイルコミュニケーター１０００は、或るしきい値速度未満で進行しているときに、モバイルコミュニケーター１０００を使用可能にするように構成されるイネーブリングシステムを含むことができる。しかしながら、モバイルコミュニケーター１０００がしきい値速度よりも速い速度で進行している場合であっても、別の信号発生デバイス１１１０のイネーブリング信号がモバイルコミュニケーター１０００を使用可能にすることができ、それにより速度条件に優先することができる。別の実施形態では、公共交通機関（図示せず）が、これらの信号発生デバイス１１１０のうちの１つを含むことができ、その信号発生デバイスは、その公共交通機関に乗車するユーザーに関連付けられるモバイルコミュニケーターのいずれか及び／又は全てと通信する。したがって、信号発生デバイス１１１０は、その公共交通機関がしきい値よりも速い速度で進行している場合であっても、その信号を受信するモバイルコミュニケーター１０００を使用可能にすることができる。
【０１５７】
さらに、信号発生デバイス１１１０は、位置に対して極めて敏感な信号を発生させることができる。乗用車が、車両の客室の特定のエリア内に存在するモバイルコミュニケーター１０００のうちの任意のものを使用可能にする信号発生デバイス１１１０を含むことができる。例えば、信号発生デバイス１１１０は、発生した信号が前部座席には届かないようにしながら、後部座席内のみに届く信号を発生させることができる。したがって、モバイルコミュニケーター１０００が移動している間、運転者は依然としてデフォルト使用不能状態によって制約を受けることができる。
【０１５８】
信号発生デバイス１１１０は、１２ボルト系統のような、車両１１２０の共通の電気系統によって電力を供給されることができる。信号発生デバイス１１１０は、車両１１２０の「ライター」電源に差し込むことができる。代替的には、信号発生デバイス１１１０は、取り外しできず、設置された車両１１２０が始動するときにはいつでも動作するように、車両の機器パッケージ内に代替的に標準装備することができる。また、信号発生デバイス１１１０は、車両のＧＰＳ受信構成要素と通信することもできる。代替的には、信号発生デバイス１１１０は、独自の内蔵されたＧＰＳ受信機を備えることができ、そのＧＰＳ受信機は、モバイルコミュニケーター１０００のＧＰＳ受信機１０８０に関して本明細書で説明されたように、信号発生デバイス１１１０の位置及び速度を求めることができる。
【０１５９】
更なる実施形態では、信号発生デバイス１１１０は車両に取り付けられなくてもよく、代わりに、ブローチ、ペンダント、リング、ネックレス、腕時計、ブレスレット、お守り、イヤリング等に設置することもできる。ブローチ、ペンダント、リング、ネックレス、腕時計、ブレスレット、お守り、イヤリング、リストバンド等は、ユーザーが身に着けることができ、上記の信号発生器１１１０と同じ信号発生を実行することができる。これにより、ユーザーは、安全性を備えたモバイルコミュニケーター１０００を使用可能にできるようになる。代替的には、列車、航空機又はバスに乗車するだけのユーザーが、デフォルト使用不能状態のモバイルコミュニケーター１０００を使用可能にすることができるようになる。
【０１６０】
同様の実施形態において、信号発生デバイス１１１０は、デフォルト使用不能状態のモバイルコミュニケーター１０００を使用可能にするのを無効にするように構成することができる。例えば、刑務所、拘置所、映画館、会議室及び／又は他の同様の敷地が信号発生デバイス１１１０を含むことができ、モバイルコミュニケーター１０００が近くにあるときに、信号発生デバイス１１１０は、デフォルト使用不能状態のモバイルコミュニケータ
ー１０００を使用可能にするのを無効にする。また、モバイルコミュニケーター１０００は、信号発生デバイス１１１０からのこの信号を受信し、その信号の意味を、モバイルコミュニケーター１０００がしきい値速度よりも速い速度で移動していることであると解釈するように構成することもできる。これにより、その条件が、モバイルコミュニケーター１０００がしきい値速度以下で移動していることである実施形態において、その条件が満たされるのを防ぐ。
【０１６１】
更なる実施形態では、モバイルコミュニケーター１０００又は信号発生デバイス１１１０は、モバイルコミュニケーター１０００又は信号発生デバイス１１１０が車両のコンピューター診断システムと通信するように、車両内に差し込むことができる。この実施形態では、車両が始動されるとき、モバイルコミュニケーター１０００又は信号発生デバイス１１１０は、車両が走行している場合であっても、モバイルコミュニケーター１０００の或る特定の機能又は全ての機能を使用可能にするように構成することができる。例えば、信号発生デバイス１１１０が車両に差し込まれる場合には、信号発生デバイス１１１０は、車両が移動しているときでも、イネーブリング信号を放射することができる。このイネーブリング信号は、車両全体に届くことができる。車両が或る特定のしきい値よりも速い速度で移動していると車両診断システムが判断するときに、信号発生デバイス１１１０は、運転者が占有するエリアにのみ第２の信号を放射することができる。一実施形態では、信号発生デバイス１１１０はイネーブリングシステムを無効にすることができる。代替的には、信号発生デバイス１１１０は、イネーブリングシステムにもかかわらず、モバイルコミュニケーター１０００の更なる１つ又は複数の構成要素１０２０、１０３０、１０４０、１０５０、１０６０又は更なる機能を使用不能にすることができる。
【０１６２】
別の実施形態では、信号発生デバイス１１１０は、運転者のゾーンのみに届く第１の信号と、車両の残りの部分全体に届く第２の信号とを放射することができる。第１の信号は、モバイルコミュニケーター１０００のハンズフリーモードが成立しない限り、モバイルコミュニケーター１０００を使用可能にしないようにすることができるか、又はデフォルト使用不能状態のモバイルコミュニケーター１０００の更なる機能を更に使用不能にすることができる。第２の信号は、運転席以外の、車両のいずれかの場所に座っている乗客のモバイルコミュニケーター１０００を使用可能にすることができる。さらに、第１の信号を遮断しようと試みると、結果として、信号が車両客室全体に送信され、車両内の全てのモバイルコミュニケーターデバイス１０００を実効的に阻止することができる。
【０１６３】
信号発生デバイス１１１０は、モバイルコミュニケーター１０００のハンズフリーの態様ととともに利用できることは理解されたい。したがって、デフォルトで使用不能にされるモバイルコミュニケーター１０００を、複数の条件下で使用可能にされるように構成することができる。１つの事例では、ハンズフリーモードにおいて使用されると判断されるときに、モバイルコミュニケーター１０００を使用可能にすることができる。代替的には、信号発生デバイス１１１０がイネーブリング信号を送信するときに、モバイルコミュニケーター１０００を使用可能にすることができる。
【０１６４】
さらに、モバイルコミュニケーター１０００は、国、州又は他の領土境界を横切る時点を判断するように構成することができる。モバイルコミュニケーター１０００は、モバイルコミュニケーター１０００が現時点で位置している国、州又は領土に応じて、異なる機能をプログラミングすることができる。例えば、ＧＰＳ受信機は、モバイルコミュニケーター１０００が、モバイルコミュニケーターに関する法律を有する州境界に入る時点を判断することができる。この場合、モバイルコミュニケーター１０００は、それらの法律に一致するモードに自動的に入るように構成することができる。
【０１６５】
また、モバイルコミュニケーター１０００は、初期デフォルト使用不能状態を与え、イ
ネーブリングシステムを更に提供することに関連付けられるソフトウェアも含むことができる。このソフトウェアが除去されるか、又は変更される場合に、モバイルコミュニケーター１０００が永久又は半永久に使用不能状態に入ることができるように、モバイルコミュニケーター１０００に改ざん防止機能を付けることができる。
【０１６６】
モバイルコミュニケーター１０００は、条件が満たされないときでも、デフォルト使用不能状態を無効にする１つ又は複数の方法を更に含むことができる。例えば、人が単に、デフォルト使用不能状態を無効にすることになるボタンを押すか、又は別のコマンド信号を入力することができる。モバイルコミュニケーター１０００が従業員、生徒、子供又は他の従属者によって使用されていないときに、管理者、上司又は親がデフォルト使用不能状態を無効にすることができるように、この無効化はパスワードで保護することもできる。モバイルコミュニケーター１０００は、管理者、上司又は親がデフォルト使用不能状態を無効にできるようにし、それにより、従業員、生徒、子供又は他の従属者が無効化機能を実行できないようにするパスワード保護システムを含むことができる。
【０１６７】
モバイルコミュニケーター１０００は、モバイルコミュニケーター１０００がデフォルト使用不能状態にあるときに有効で或る特定の着信転送機能を更に含むことができる。例えば、モバイルコミュニケーター１０００がデフォルト使用不能状態にある間に、モバイルコミュニケーター１０００に電話がかかった場合には、モバイルコミュニケーター１０００はその通話を異なる番号に転送することができる。代替的には、モバイルコミュニケーター１０００は、その通話をそのままボイスメールメッセージボックスに送信することができる。別の実施形態では、モバイルコミュニケーター１０００は、ユーザーが許されない速度よりも速い速度で進行していることを、着信に応答して発信者に自動的に通知するようにプログラミングすることができる。さらに、モバイルコミュニケーター１０００は、イネーブリングシステム１０１０によって使用可能された後に、モバイルコミュニケーター１０００がデフォルト使用不能状態にあるときに呼び出された各番号をダイヤルすることになるボタンをユーザーが自動的に押すか、又は別の方法でコマンドを入力できるようにする機能も含むことができる。この機能によれば、さらに、所定の順序においてユーザーは折り返し電話をかけることができるようになり、その順序はユーザーによってプログラミング可能である。
【０１６８】
またさらに、モバイルコミュニケーター１０００は、信号転送構成要素を含むことができる。転送構成要素は、モバイルコミュニケーター１０００が所定の速度よりも速い速度で進行していた場合に、別のデバイスに自動的に知らせるように構成することができる。それゆえ、転送構成要素によって、子供のモバイルコミュニケーター１０００が所定の制限速度を上回る速度で進行しているときに親の電話に通知を送信するように、親がモバイルコミュニケーター１０００を自動的にプログラミングできるようになる。
【０１６９】
速度及び位置検出はＧＰＳ受信機の実施形態には限定されないことは理解されたい。例えば、モバイルコミュニケーター１０００が或る一定のしきい値速度未満で進行しており、使用可能状態に切り替えられるべきであると判断するために、上記のように、セルタワー三角測量、三辺測量、多辺測量又はモバイルコミュニケーター１０００の位置及び／又は速度を求める任意の他の方法を利用することができる。位置及び速度検出のための代替の実施形態は当業者には明らかになるであろう。
【０１７０】
モバイルコミュニケーター１０００を使用可能にすることは、モバイルコミュニケーター１０００自体の内部論理システムによって実行できることも理解されたい。しかしながら、代替の実施形態では、モバイルコミュニケーター１０００を使用可能にすることを、サービスプロバイダー又は別の第三者が実行することができる。例えば、セルタワー三角測量技法を用いて、第三者データベースが、モバイルコミュニケーター１０００の速度を
追跡することができる。その後、第三者は、上記のように、信号発生デバイス１１１０がイネーブリング信号を送出できるのと同じようにして、モバイルコミュニケーター１０００にイネーブリング信号を送出することができる。第三者又はサービスプロバイダーを利用する他の実施形態も当業者には理解されよう。
【０１７１】
上記の本発明の実施形態の説明は、例示及び説明を目的として提示した。この説明が網羅的なものであることも、本発明を開示される正確な形態に限定することも意図されず、明らかに、多くの変更形態及び変形形態が可能である。当業者に明らかとすることができるかかる変更形態及び変形形態は、添付の特許請求の範囲によって規定されるような本発明の範囲内に含まれることが意図される。
【図１】
2013514043.tif 000016
【図２】
2013514043.tif 000017
【図３】
2013514043.tif 000018
【図４】
2013514043.tif 000019
【図５】
2013514043.tif 000020
【図６】
2013514043.tif 000021
【図７】
2013514043.tif 000022
【図８】
2013514043.tif 000023
【図９】
2013514043.tif 000024
【図１０】
2013514043.tif 000025
【図１１】
2013514043.tif 000026
【図１２】
2013514043.tif 000027
【図１３】
2013514043.tif 000028
【図１４】
2013514043.tif 000029
【図１５】
2013514043.tif 000030
【図１６】
2013514043.tif 000031
【図１７】
2013514043.tif 000032
【図１８】
2013514043.tif 000033
【国際調査報告】
2013514043.tif 000034